(57)【要約】      （修正有）【課題】監視区域の煙の発生位置を特定する作業が迅速且つ効率良く、確実に行える可搬式の煙検知装置、固定式の煙検知装置及び煙発生位置の特定方法を提供する。【解決手段】固定式の煙検知装置１００により監視区域内の煙発生区画を特定し、更に、可搬式の煙検知装置１０を使用して煙発生位置を特定する。可搬式の煙検知装置の煙検知装置本体１２は、煙の検知感度の切替えが可能であり、動作開始時に、監視区域の煙を検知する固定式の煙検知装置における煙の検知感度と同じか又はそれよりも高い煙の検知感度を初期感度とする。このとき煙の検知感度の切替えは機能せず、固定式の煙検知装置が煙の発生を検知した後に監視区域内を移動しながら煙の発生位置を特定するのに使用される際には、初期感度から作業が開始され、煙の発生位置を特定するための使用中に、所定の煙検知信号を検出したときに、検知感度を下げることにより煙の発生位置を絞り込んで特定する。【選択図】図１７
2020068003.tif 000002
【特許請求の範囲】
【請求項１】
監視区域内を移動しながら前記監視区域内の空気を、サンプリング孔を介して吸引し、吸引した空気中に含まれる煙を検出して煙の発生位置を特定する可搬式の煙検知装置であって、
煙の検知感度を切替え制御する感度切替制御部を備え、
前記感度切替制御部は、動作開始時に、前記監視区域の煙を検知する固定式の煙検知装置における煙の検知感度と同じか又はそれよりも高い煙の検知感度を初期感度とし、このとき前記煙の検知感度の切替えは機能せず、前記固定式の煙検知装置が煙の発生を検知した後に前記監視区域内を移動しながら煙の発生位置を特定するのに使用される際には、前記初期感度から作業が開始され、煙の発生位置を特定するための使用中に、所定の煙検知信号を検出したときに、前記煙の検知感度の切替えが機能する状態にすることを特徴とする可搬式の煙検知装置。
【請求項２】
請求項１記載の可搬式の煙検知装置に於いて、前記感度切替制御部は、前記所定の煙検知信号を検出したときに、前記煙の検知感度を手動で切替える機能、又は、前記煙の検知感度を自動で切替える機能の、少なくとも一方を備えたことを特徴とする可搬式の煙検知装置。
【請求項３】
請求項１記載の可搬式の煙検知装置に於いて、
前記感度切替制御部は、
前記煙の検知感度を手動で切替える手動感度切替機能と、
前記煙の検知感度を自動で切替える自動感度切替機能と、
前記手動感度切替機能又は前記自動感度切替機能を選択する選択手段と
を備え、
前記動作開始時および前記選択手段による選択時は、前記感度切替制御部は、前記監視区域の煙を検知する固定式の煙検知装置における煙の検知感度と同じか又はそれよりも高い煙の検知感度を初期感度とし、このとき前記煙の検知感度の切替えは機能せず、前記煙の発生位置を特定するための使用中に、前記所定の煙検知信号を検出したときに、前記選択手段により選択されている前記手動感度切替機能又は前記自動感度切替機能が機能する状態にすることを特徴とする可搬式の煙検知装置。
【請求項４】
請求項１記載の可搬式の煙検知装置に於いて、
前記感度切替制御部は、
前記煙の検知感度を自動で切替える自動感度切替機能と、
前記自動感度切替機能により自動で切替えられる感度をリセットするリセット手段と
を備え、
前記動作開始時および前記リセット手段によるリセット時は、前記感度切替制御部は、前記監視区域の煙を検知する固定式の煙検知装置における煙の検知感度と同じか又はそれよりも高い煙の検知感度を初期感度とし、このとき前記煙の検知感度の切替えは機能せず、前記煙の発生位置を特定するための使用中に、前記所定の煙検知信号を検出したときに、前記自動感度切替機能が機能する状態にすることを特徴とする可搬式の煙検知装置。
【請求項５】
請求項１記載の可搬式の煙検知装置に於いて、
前記感度切替制御部は、
前記煙の検知感度を自動で切替える自動感度切替機能と、
前記煙の検知感度を手動で切替える手動感度切替機能と、
を備え、
前記動作開始時は、前記感度切替制御部は前記監視区域の煙を検知する固定式の煙検知装置における煙の検知感度と同じか又はそれよりも高い煙の検知感度を初期感度とし、このとき前記煙の検知感度の切替えは機能せず、前記煙の発生位置を特定するための使用中に、前記所定の煙検知信号を検出したときに、前記自動感度切替機能及び前記手動感度切替機能が機能する状態とし、このとき、手動感度切替えが行われたときには、前記感度切替制御部は、前記手動感度切替機能により切替えられた煙の検知感度を初期感度として前記煙の検知感度を自動で切替えることを特徴とする可搬式の煙検知装置。
【請求項６】
監視区域の煙を検知する固定式の煙検知装置が煙の発生を検知した後に、可搬式の煙検知装置を利用して前記監視区域内を移動しながら前記監視区域内の空気をサンプリング孔を介して吸引し、吸引した空気中に含まれる煙を検出して煙の発生位置を特定する煙発生位置の特定方法であって、
前記可搬式の煙検知装置は、煙の検知感度が切替え可能であり、動作開始時は、前記固定式の煙検知装置における煙の検知感度と同じか又はそれよりも高い煙の検知感度を初期感度とし、このとき前記煙の検知感度の切替えは機能せず、煙の発生位置を特定するのに使用される際には、前記初期感度から作業が開始され、前記監視区域を移動しながら煙の発生位置を特定するための使用中に、所定の煙検知信号を検出したときに、前記煙の検知感度の切替えが機能する状態になり、前記煙の検知感度を切替えながら煙の発生位置を特定することを特徴とする煙発生位置の特定方法。
【請求項７】
監視区域内を移動しながら前記監視区域内の空気を、サンプリング孔を介して吸引し、吸引した空気中に含まれる煙を検出して煙の発生位置を特定する可搬式の煙検知装置であって、
検知した煙濃度の変化に応じて、音及び／又は振動で報知を行う報知手段を備えたことを特徴とする可搬式の煙検知装置。
【請求項８】
請求項７記載の可搬式の煙検知装置に於いて、
前記報知手段は、検知した煙濃度の変化に応じて音及び／又は振動の出力形態を変化させることを特徴とする可搬式の煙検知装置。
【請求項９】
請求項７記載の可搬式の煙検知装置に於いて、
前記報知手段は、検知した煙濃度の変化傾向に応じて音及び／又は振動の出力形態を異ならせることを特徴とする可搬式の煙検知装置。
【請求項１０】
請求項９記載の可搬式の煙検知装置に於いて、
前記報知手段は、前記検知した煙濃度の所定の変化傾向として上昇、停滞、下降のうち、少なくとも上昇傾向を音及び／又は振動により識別可能とすることを特徴とする可搬式の煙検知装置。
【請求項１１】
請求項７乃至１０の何れかに記載の可搬式の煙検知装置に於いて、
前記報知手段は、
所定音及び／又は所定振動の出力周期を変化させるものであり、
検知した煙濃度が上昇するときは、所定音及び／又は所定振動の出力周期を所定の短周期とするか、又は、煙濃度の上昇に応じて出力周期を短くさせ、
煙濃度が低下するときは、所定音及び／又は所定振動の出力周期を所定の長周期とするか、又は、煙濃度の下降傾向に応じて出力周期を長くさせ、
煙濃度変化が停滞傾向である場合は、所定音及び／又は所定振動の出力周期を所定の短周期と所定の長周期の間の所定周期とするか又は所定周期に固定して変化させないことを特徴とする可搬式の煙検知装置。
【請求項１２】
請求項７乃至１０の何れかに記載の可搬式の煙検知装置に於いて、
前記報知手段は、
所定の繰り返し周期毎に所定音及び／又は所定振動の出力デューティを変化させるものであり、
検知した煙濃度が上昇するときは、所定音及び／又は所定振動の出力デューティを所定の最大出力デューティとするか、又は、煙濃度の上昇に応じて出力デューティを増加させ、
煙濃度が低下するときは、所定音及び／又は所定振動の出力デューティを所定の最小出力デューティとするか、又は、煙濃度の下降に応じて出力デューティを減少させ、
煙濃度変化が停滞傾向である場合は、所定音及び／又は所定振動の出力デューティを最大出力デューティと最小出力デューティの間の所定の出力デューティとするか又は所定出力デューティに固定して変化させないことを特徴とする可搬式の煙検知装置。
【請求項１３】
監視区域に配置され、サンプリング管を介して吸引した空気中に含まれる煙を検知する固定式の煙検知装置に於いて、
前記サンプリング管のサンプリング孔の所定数毎に対応して設けられた開閉弁と、
前記サンプリング管により吸引する空気量を略一定に保つように前記開閉弁を開閉制御する開閉弁制御部と、
前記サンプリング管を介して吸引した空気中に含まれる煙を検知したときに、前記開閉弁制御部による前記開閉弁の制御状態に基づいて煙発生位置を特定する煙検知制御部と、
が設けられたことを特徴とする固定式の煙検知装置。
【請求項１４】
請求項１３記載の固定式の煙検知装置に於いて、
前記開閉弁制御部は、前記開閉弁を所定台数ごとに、所定の順番に従い所定時間開駆動し、残りの前記開閉弁は閉駆動する制御を順次繰り返し、
煙検知制御部は、煙を検知したときに開駆動している前記開閉弁に対応した位置を煙発生位置に特定することを特徴とする固定式の煙検知装置。
【請求項１５】
請求項１３記載の固定式の煙検知装置に於いて、
複数の前記開閉弁を開駆動する開駆動時間は、前記開閉弁から吸引された空気が前記サンプリング管を介して煙検知装置本体に到達するまでの時間に基づいて設定されることを特徴とする固定式の煙検知装置。
【請求項１６】
請求項１３記載の固定式の煙検知装置に於いて、
前記開閉弁制御部は、前記開閉弁を所定台数ごとに、所定の順番に従い所定時間閉駆動し、残りの前記開閉弁は開駆動する制御を順次繰り返し、
前記煙検知制御部は、煙を検知している状態から煙を検知しない状態へ変化したときに、閉駆動している前記開閉弁に対応した位置を煙発生位置に特定することを特徴とする固定式の煙検知装置。
【請求項１７】
請求項１３記載の固定式の煙検知装置に於いて、
複数の前記開閉弁を閉駆動する閉駆動時間は、前記開閉弁から吸引された空気が前記サンプリング管を介して前記煙検知装置本体に到達するまでの時間に基づいて設定されることを特徴とする固定式の煙検知装置。
【請求項１８】
請求項１４乃至１７の何れかに記載の固定式の煙検知装置に於いて、
開閉制御する前記開閉弁の前記所定台数は、順次繰り返す制御回に応じて個別に設定されることを特徴とする固定式の煙検知装置。
【請求項１９】
固定式の煙検知装置で監視区域内の煙発生区画を特定し、その後に可搬式の煙検知装置を用いて当該煙発生区画内の煙発生位置を特定することを特徴とする煙発生位置の特定方法。
【請求項２０】
固定式の煙検知装置で煙発生区画を特定し、当該煙発生区画において可搬式の煙検知装置を用いて煙発生位置を特定する煙発生位置の特定方法に於いて、
前記可搬式の煙検知装置を用いて前記火災発生位置を特定する場合に、前記固定式の煙検知装置の煙検知感度よりも高い感度を初期感度とし、このとき煙の検知感度の切替えは機能せず、前記煙発生区画内を移動しながら煙の発生位置を特定するのに使用される際には、前記初期感度から作業が開始され、煙の発生位置を特定するための使用中に、所定の煙検知信号を検出したときに、煙の検知感度の切替えが機能する状態となり、続いて、煙の検知感度を下げることにより、煙の発生位置を絞り込んで特定することを特徴とする煙発生位置の特定方法。
【請求項２１】
請求項２０記載の煙発生位置の特定方法に於いて、
前記固定式の煙検知装置は、警戒区域に配置されたサンプリング管のサンプリング孔の所定数毎に対応して設けられた開閉弁を、前記サンプリング管により吸引する空気量を略一定に保つように開閉制御し、前記サンプリング管を介して吸引した空気中に含まれる煙を検知したときに、前記開閉弁の制御状態に基づいて前記煙発生区画を特定することを特徴とする煙発生位置の特定方法。
【請求項２２】
請求項２１記載の煙発生位置の特定方法に於いて、前記固定式の煙検知装置は、前記開閉弁に設けられた表示灯の作動により、特定した前記煙発生区画を報知することを特徴とする煙発生位置の特定方法。
【請求項２３】
請求項２０記載の煙発生位置の特定方法に於いて、前記固定式の煙検知装置は、警戒区域に配置されたサンプリング管の吸引位置毎に、吸引した空気中に含まれる煙を検知する煙感知器が設けられ、前記煙感知器の煙感知に基づいて前記煙発生区画を特定することを特徴とする煙発生位置の特定方法。
【発明の詳細な説明】
【技術分野】
【０００１】
本発明は、監視区域から吸引した空気中に含まれる微量の煙を検知する可搬式の煙検知装置、固定式の煙検知装置及び煙発生位置の特定方法に関する。
【背景技術】
【０００２】
従来、サーバ等を設置したコンピュータルームや半導体製造設備等におけるクリーンルームには、煙を高感度で検知する固定式の煙検知装置が設けられている。この固定式の煙検知装置は、監視区域に設置したサンプリング管から空気を吸引し、その空気中に浮遊する極低濃度の煙を検知して作動するようにしている。
【０００３】
このような固定式の煙検知装置が作動した場合、煙の発生位置が肉眼では捉えられない場合があることから、ホースの先端にサンプリング管を装着した持ち運び自在な可搬式の煙検知装置を使用し、監視区域内を移動しながら煙の発生位置を特定する作業を行うようにしている。
【０００４】
また、従来の固定式の煙検知装置にあっては、サンプリング管に複数のサンプリング孔があることから、煙を検知しても煙の発生位置を特定することができないという問題がある。
【０００５】
この問題を解決するため、防護空間の空気を吸引するサンプリング管に、例えば所定間隔で、吸引口を備えた光電式煙感知器を配置し、各光電式煙感知器にアドレスを設定しておくことで、煙を検知した光電式煙感知器のアドレスに基づき煙発生位置を特定できるようにしている。
【先行技術文献】
【特許文献】
【０００６】
【特許文献１】特開２０１４−１０６６７８号公報
【特許文献２】特開２０１７−０６２８２０号公報
【特許文献３】特開２０１７−０６２８２１号公報
【特許文献４】特開２０１６−０５７７９１号公報
【特許文献５】特開２００４−０７８８０７号公報
【特許文献６】国際公開Ｗ０２０１３−０３１０１６号公報
【発明の概要】
【発明が解決しようとする課題】
【０００７】
しかしながら、従来の可搬式の煙検知装置を用いて煙の発生位置を特定する作業にあっては、可搬式の煙検知装置における煙の検知感度を、固定式の煙検知装置における煙の検知感度よりも鈍くして作業を開始しているが、監視区域の煙は肉眼では確認できないほど薄い場合が少なくない。また、このような薄い煙が局所的に存在する範囲は監視区域全体のうちの狭い範囲である場合が多いので、初めから固定式の煙検知装置より低い煙の検知感度にして作業を始めると、煙の発生位置を見逃してしまう場合があり、また、監視区域を移動しながら煙の発生位置を特定する作業に手間と時間がかかる問題がある。
【０００８】
また、従来の固定式の煙検知装置で監視区域内の煙発生区画を特定し、さらに可搬式の煙検知装置で詳細な煙発生位置を特定する方法については提案されていなかった。
【０００９】
また、従来の固定式の煙検知装置にあっては、煙発生区画を特定するにあたって、サンプリング管の吸引位置毎に、光電式煙感知器を設けなければならないため、サンプリング管に設ける吸引口の数に応じて光電式煙感知器の数が増加し、設備構成が複雑化すると共に設備コストが大幅に増加する問題がある。
【００１０】
本発明は、監視区域を移動しながら煙の発生位置を特定する作業が迅速且つ効率良く、確実に行えることを可能とする可搬式の煙検知装置を提供することを目的とする。
【００１１】
また、本発明は、複雑化を避け、大幅な設備構成の増加を必要とすることなく少ない設備コストで煙の発生区画を特定可能とする固定式の煙検知装置を提供することを目的とする。
【００１２】
更に、本発明は、固定式の煙検知装置で特定した監視区域内の煙の発生区画を可搬式の煙検知装置を用いて移動しながら煙の発生位置を絞り込んで特定する作業が迅速且つ効率良く、確実に行える煙発生位置の特定方法を提供することを目的とする。
【課題を解決するための手段】
【００１３】
［第１発明：可搬式の煙検知装置］
本願第１発明は、監視区域内を移動しながら監視区域内の空気を、サンプリング孔を介して吸引し、吸引した空気中に含まれる煙を検出して煙の発生位置を特定する可搬式の煙検知装置であって、
煙の検知感度を切替え制御する感度切替制御部を備え、
感度切替制御部は、動作開始時は、監視区域の煙を検知する固定式の煙検知装置における煙の検知感度と同じか又はそれよりも高い煙の検知感度を初期感度とし、このとき煙の検知感度の切替えは機能せず、固定式の煙検知装置が煙の発生を検知した後に監視区域内を移動しながら煙の発生位置を特定するのに使用される際には、初期感度から作業が開始され、煙の発生位置を特定するための使用中に、所定の煙検知信号を検出したときに、煙の検知感度の切替えが機能する状態にすることを特徴とする。
【００１４】
ここで、固定式の煙検知装置における煙の検知感度とは、例えば、当該固定式の煙検知装置に接続されるサンプリング管の総延長が想定の最長であって、且つサンプリング管に設けるサンプリング孔が最多の条件で、監視区域の所定位置に所定濃度の煙が存在するときに、所定時間内に煙を検知して作動する検知感度、即ち、複数のサンプリング孔が設けられたサンプリング管の最先端に位置するサンプリング孔に対応した監視区域の所定位置に所定濃度の煙が存在するときに、この煙を所定時間内に検知して作動する検知感度（このとき検知できる煙濃度（％／ｍ）、即ち上記所定濃度）を意味する。なお、サンプリング管に分岐等を設ける場合には、これらを考慮したうえで最も条件が厳しい位置のサンプリング孔に対応した位置の所定濃度の煙を所定時間内に検知して作動する感度（同様に、上記所定濃度）とする。
【００１５】
（煙の検知感度の切替え機能）
感度切替制御部は、所定の煙検知信号を検出したときに、煙の検知感度を手動で切替える機能、又は、煙の検知感度を自動で切替える機能の、少なくとも一方を備える。
【００１６】
（煙検知感度の手動切替と自動切替の組み合わせ機能）
感度切替制御部は、
煙の検知感度を手動で切替える手動感度切替機能と、
煙の検知感度を自動で切替える自動感度切替機能と、
手動感度切替機能又は自動感度切替機能を選択する選択手段と
を備え、
動作開始時および選択手段による選択時は、感度切替制御部は、監視区域の煙を検知する固定式の煙検知装置における煙の検知感度と同じか又はそれよりも高い煙の検知感度を初期感度とし、このとき煙の検知感度の切替えは機能せず、煙の発生位置を特定するための使用中に、所定の煙検知信号を検出したときに、選択手段により選択されている手動感度切替機能又は自動感度切替機能が機能する状態にする。
【００１７】
（自動感度切替機能のリセット）
感度切替制御部は、
煙の検知感度を自動で切替える自動感度切替機能と、
自動感度切替機能により自動で切替えられた感度をリセットするリセット手段と
を備え、
動作開始時およびリセット手段によるリセット時は、感度切替制御部は監視区域の煙を検知する固定式の煙検知装置における煙の検知感度と同じか又はそれよりも高い煙の検知感度を初期感度とし、このとき煙の検知感度の切替えは機能せず、煙の発生位置を特定するための使用中に、所定の煙検知信号を検出したときに、自動感度切替機能が機能する状態にする。
【００１８】
（自動切替で起動して手動で感度を切替える機能）
感度切替制御部は、
煙の検知感度を自動で切替える自動感度切替機能と、
煙の検知感度を手動で切替える手動感度切替機能と、
を備え、
動作開始時は、感度切替制御部は、監視区域の煙を検知する固定式の煙検知装置における煙の検知感度と同じか又はそれよりも高い煙の検知感度を初期感度とし、このとき煙の検知感度の切替えは機能せず、煙の発生位置を特定するための使用中に、所定の煙検知信号を検出したときに、自動感度切替機能及び手動感度切替機能が機能する状態とし、このとき、手動感度切替が行われたときには、感度切替制御部は、手動感度切替機能により切替えられた煙の検知感度を初期感度として煙の検知感度を自動で切替える。
【００１９】
（煙発生位置の特定方法）
本発明は、監視区域の煙を検知する固定式の煙検知装置が煙の発生を検知した後に、可搬式の煙検知装置を利用して監視区域内を移動しながら監視区域内の空気をサンプリング孔を介して吸引し、吸引した空気中に含まれる煙を検出して煙の発生位置を特定する煙発生位置の特定方法であって、
可搬式の煙検知装置は、煙の検知感度が切替え可能であり、動作開始時は、固定式の煙検知装置における煙の検知感度と同じか又はそれよりも高い煙の検知感度を初期感度とし、このとき煙の検知感度の切替えは機能せず、煙の発生位置を特定するのに使用される際には、初期感度から作業が開始され、監視区域を移動しながら煙の発生位置を特定するための使用中に、所定の煙検知信号を検出したときに、煙の検知感度の切替えが機能する状態になり、煙の検知感度を切替えながら煙の発生位置を特定することを特徴とする。
【００２０】
［第２発明：音及び又は振動で煙濃度を報知する可搬式の煙検知装置］
本願第２発明は、監視区域内を移動しながら監視区域内の空気を、サンプリング孔を介して吸引し、吸引した空気中に含まれる煙を検出して煙の発生位置を特定する可搬式の煙検知装置であって、
検知した煙濃度の変化に応じて、音及び／又は振動で報知を行う報知手段を備えたことを特徴とする。
【００２１】
（煙濃度の変化の報知）
報知手段は、検知した煙濃度の変化に応じて音及び／又は振動の出力形態を変化させる。
【００２２】
（煙濃度の変化傾向の報知）
報知手段は、検知した煙濃度の変化傾向に応じて音及び／又は振動の出力形態を異ならせる。
【００２３】
（煙濃度の上昇傾向の報知）
報知手段は、検知した煙濃度の所定の変化傾向として上昇、停滞、下降のうち、少なくとも上昇傾向を音及び／又は振動により識別可能とする。
【００２４】
（音及び／又は振動の出力周期の変化）
報知手段は、
所定音及び／又は所定振動の出力周期を変化させるものであり、
検知した煙濃度が上昇するときは、所定音及び／又は所定振動の出力周期を所定の短周期とするか、又は、煙濃度の上昇に応じて周期を短くさせ、
煙濃度が低下するときは、所定音及び／又は所定振動の出力周期を所定の長周期とするか、又は、煙濃度の下降傾向に応じて周期を長くさせ、
煙濃度変化が停滞傾向である場合は、所定音及び／又は所定振動の出力周期を所定の短周期と所定の長周期の間の所定周期とするか又は所定周期に固定して変化させない。
【００２５】
（音及び／又は振動の出力デューティの変化）
報知手段は、
所定の繰り返し周期毎に所定音及び／又は所定振動の出力デューティを変化させるものであり、
検知した煙濃度が上昇するときは、所定音及び／又は所定振動の出力デューティを所定の最大出力デューティとするか、又は、煙濃度の上昇に応じて出力デューティを増加させ、
煙濃度が低下するときは、所定音及び／又は所定振動の出力デューティを所定の最小出力デューティとするか、又は、煙濃度の下降に応じて出力デューティを減少させ、
煙濃度変化が停滞傾向である場合は、所定音及び／又は所定振動の出力デューティを最大出力デューティと最小出力デューティの間の所定の出力デューティとするか又は所定出力デューティに固定して変化させない。
【００２６】
［第３発明：固定式の煙検知装置］
本願第３発明は、
監視区域に配置され、サンプリング管を介して吸引した空気中に含まれる煙を検知する固定式の煙検知装置に於いて、
サンプリング管のサンプリング孔の所定数毎に対応して設けられた開閉弁と、
サンプリング管により吸引する空気量を略一定に保つように開閉弁を開閉制御する開閉弁制御部と、
サンプリング管を介して吸引した空気中に含まれる煙を検知したときに、開閉弁制御部による開閉弁の制御状態に基づいて煙発生位置を特定する煙検知制御部と、
が設けられたことを特徴とする。
【００２７】
（開閉弁の順次開駆動）
開閉弁制御部は、開閉弁を所定台数ごとに、所定の順番に従い所定時間開駆動し、残りの開閉弁は閉駆動する制御を順次繰り返し、
煙検知制御部は、煙を検知したときに開駆動している開閉弁に対応した位置を煙発生位置に特定する。
【００２８】
（開閉弁の開駆動時間）
複数の開閉弁を開駆動する開駆動時間は、開閉弁から吸引された空気がサンプリング管を介して煙検知装置本体に到達するまでの時間に基づいて設定される。
【００２９】
（開閉弁の順次閉駆動）
開閉弁制御部は、開閉弁を所定台数ごとに、所定の順番に従い所定時間閉駆動し、残りの開閉弁は開駆動する制御を順次繰り返し、
煙検知制御部は、煙を検知している状態から煙を検知しない状態へ変化したときに、閉駆動している開閉弁に対応した位置を煙発生位置に特定する。
【００３０】
（開閉弁の開放時間）
複数の開閉弁を閉駆動する閉駆動時間は、開閉弁から吸引された空気がサンプリング管を介して煙検知装置本体に到達するまでの時間に基づいて設定される。
【００３１】
（開閉弁の開閉台数の個別設定）
また、開閉制御する開閉弁の所定台数は、順次繰り返す制御回に応じて個別に設定される。
【００３２】
［第４発明：煙発生位置の特定方法］
本願第４発明は、固定式の煙検知装置で監視区域内の煙発生区画を特定し、その後に可搬式の煙検知装置を用いて当該煙発生区画内の煙発生位置を特定することを特徴とする。
【００３３】
（第４発明の別形態）
また、本願第４発明の別の形態にあっては、固定式の煙検知装置で煙発生区画を特定し、当該煙発生区画において可搬式の煙検知装置を用いて煙発生位置を特定する煙発生位置の特定方法に於いて、
可搬式の煙検知装置を用いて火災発生位置を特定する場合に、固定式の煙検知装置の煙検知感度よりも高い感度を初期感度とし、このとき煙の検知感度の切替えは機能せず、煙発生区画内を移動しながら煙の発生位置を特定するのに使用される際には、初期感度から作業が開始され、煙の発生位置を特定するための使用中に、所定の煙検知信号を検出したときに、煙の検知感度の切替えが機能する状態となり、続いて、煙の検知感度を下げることにより、煙の発生位置を絞り込んで特定することを特徴とする。
【００３４】
（開閉弁の開閉制御）
固定式の煙検知装置は、警戒区域に配置されたサンプリング管のサンプリング孔の所定数毎に対応して設けられた開閉弁を、サンプリング管により吸引する空気量を略一定に保つように開閉制御し、サンプリング管を介して吸引した空気中に含まれる煙を検知したときに、開閉弁の制御状態に基づいて煙発生区画を特定する。
【００３５】
（開閉弁の表示灯による煙発生区画の報知）
固定式の煙検知装置は、開閉弁の配置位置に設けられた表示により、特定した煙発生区画を報知する。
【００３６】
（煙検知器による煙発生区画の特定）
固定式の煙検知装置は、警戒区域に配置されたサンプリング管の吸引位置毎に、吸引した空気中に含まれる煙を検知する煙検知器が設けられ、煙検知器のＩＤ情報に基づいて煙発生区画を特定する。
【発明の効果】
【００３７】
［本願第１発明の基本的な効果］
本発明の可搬式の煙検知装置及び煙発生位置の特定方法によれば、監視区域を移動しながら煙の発生位置を特定する作業を始める場合、可搬式の煙検知装置における煙の検知感度は、必ず、固定式の煙検知装置における煙の検知感度と同じか、又は、高い煙の検知感度を初期感度として始めるようにしたため、切替操作に係る作業開始時の感度設定ミスを防止し、従来のように始めから低感度とすることで狭い検知範囲にして作業を始めて煙の発生位置を見逃してしまうことがなく、監視区域を移動しながら煙の発生位置を特定する作業が迅速且つ効率良く、また確実に行えることを可能とする。
【００３８】
また、固定式の煙検知装置における煙検知装置本体の煙の検知感度と同じか又はそれよりも高い検知感度を初期感度とし、このとき検知感度切替えは機能せず、煙の発生位置を特定するのに使用される際には、煙の検知感度の初期感度から作業が開始され、煙の発生位置を特定するための使用中に、所定の煙検知信号を検出したときに、煙の検知感度の切替えが機能する状態となるため、作業を始める際に、固定式の煙検知装置における煙の検知感度より低感度に切替えて作業を開始してしまうことを確実に防止でき、更に、煙の検知感度の初期感度で所定の煙検知信号を検出したときに煙の検知感度の切替えが機能する状態となり、その後、煙の検知感度を手動又は自動で、或いは手動及び自動で下げながら、また必要に応じ検知感度を手動又は自動で、或いは手動及び自動で上下しながら、煙の発生位置を絞り込む作業が可能となる。このため、迅速かつ効率良く、また確実に煙の発生位置を特定することができる。
【００３９】
また、煙検知感度の手動感度切替機能と自動感度切替機能を選択的に組み合わせることにより、例えば最初は手動感度切替機能を選択して初期感度（高感度）から始め、反応を見ながら移動しつつ煙発生位置を探索していき、所定の煙検知信号が得られると手動で低感度に切替えることができるので、適宜、低感度に切替えながら絞り込みを進め、煙発生位置を相当絞り込んだ後は、自動感度切替機能に選択変更すると、初期感度から再スタートされるので、急に反応を失うことはなく、すぐに自動感度切替機能で適切な感度（低感度）に切替えられ、既に煙発生位置は相当絞り込まれているので、あとは切替操作に煩わされることなく自動で煙発生位置を特定する作業を進めることができる。
【００４０】
また、最初は自動感度切替機能を選択して初期感度（高感度）から始め、反応を見ながら移動しつつ煙発生位置を探索していき、所定の煙検知信号が得られると自動で低感度に切り替わり、こうして範囲を絞っていき、途中で、急に煙検知信号が得られなくなったときには、手動感度切替機能に選択変更すると、このとき、初期感度（高感度）から再スタートされるので、煙発生位置の探索作業を状況に応じて効率良く進めることが可能になる。
【００４１】
また、自動感度切替機能により自動で切替えられた感度をリセットするリセット手段を設けることにより、動作開始時は自動感度切替機能を選択して初期感度（高感度）から始め、反応を見ながら移動しつつ煙発生位置を探索していき、所定の煙検知信号が得られると自動で低感度に切り替わり、こうして範囲を絞っていき、途中で、急に煙検知信号が得られなくなったときには、リセット手段により自動感度切替機能をリセット操作すると、強制的に初期感度（高感度）に戻すことができ、初期感度（高感度）から再スタートされるので、煙発生位置の探索作業を状況に応じて効率良く進めることが可能になる。
【００４２】
また、自動感度切替機能で初期感度（高感度）から開始し、作業途中に手動感度切替機能による手動切替操作を受け付けると、自動感度切替機能は初期感度から再スタートではなく手動で強制切替えした感度から自動感度切替を再スタートし、そうすると、自動感度切替機能における切替段階をスキップすることが出来るようになり、自動感度切替機能と手動感度切替機能の手動切替操作を細かく組み合わせることで、煙発生位置の探索作業を効率的に進めることが可能になる。
【００４３】
［第２発明の基本的な効果］
本願第２発明は、監視区域内を移動しながら監視区域内の空気を、サンプリング孔を介して吸引し、吸引した空気中に含まれる煙を検出して煙の発生位置を特定する可搬式の煙検知装置であって、検知した煙濃度の変化に応じて、音及び／又は振動で報知を行う報知手段を備えたため、監視区域を移動しながら煙の発生位置を特定する作業を始める場合、作業者は煙濃度表示器を見なくとも煙濃度の変化を音及び／又は振動による報知で知ることができ、音及び／又は振動による報知から煙濃度の上昇する方向を探索しながら移動することで、効率良く煙発生位置を絞り込んで特定することができる。
【００４４】
（煙濃度の変化の報知による効果）
また、報知手段は、検知した煙濃度の変化に応じて音及び／又は振動の出力形態を変化させるようにしたため、作業者は、警戒区域を移動しながら報知される音及び／又は振動から煙の濃度の変化をリアルタイムで認識しながら、効率良く煙発生位置を絞り込んで特定することができる。
【００４５】
（煙濃度の変化傾向の報知による効果）
また、報知手段は、検知した煙濃度の変化傾向に応じて音及び／又は振動を出力形態を異ならせるようにしたため、作業者は、音及び／又は振動による報知で、煙濃度の下降傾向を知ったときはその方向から離れるように移動し、また、煙濃度の上昇傾向を知ったときはその傾向を示す方向に向かうように移動することで、効率良く煙発生位置を絞り込んで特定することができる。
【００４６】
（煙濃度の上昇傾向の報知による効果）
報知手段は、検知した煙濃度の所定の変化傾向として上昇、停滞、下降のうち、少なくとも上昇傾向を音及び／又は振動により識別可能とするようにしたため、作業者は、音及び／又は振動による報知で、少なくとも煙濃度の上昇傾向を知ってその方向に向かうように移動することで、効率良く煙発生位置を絞り込んで特定することができる。
【００４７】
（音及び／又は振動の出力周期の変化による効果）
また、報知手段は、所定音及び／又は所定振動の出力周期を変化させるものであり、検知した煙濃度が上昇するときは、音及び／又は振動の出力周期を所定の短周期とするか、又は、煙濃度の上昇に応じて周期を短くさせ、煙濃度が低下するときは、所定音及び／又は所定振動の出力周期を所定の長周期とするか、又は、煙濃度の下降傾向に応じて周期を長くさせ、煙濃度変化が停滞傾向である場合は、所定音及び／又は所定振動の出力周期を所定の短周期と所定の長周期の間の所定周期とするか又は所定周期に固定して変化させないようにしたため、作業者は警戒区域を移動しながら報知される所定音及び又は所定振動の出力周期の長短から煙の濃度の上昇、停滞、又は下降といった変化状況をリアルタイムで認識しながら、効率良く煙発生位置を絞り込んで特定することができる。
【００４８】
（音及び／又は振動の出力デューティの変化による効果）
また、報知手段は、所定の繰り返し周期毎に所定音及び／又は所定振動の出力デューティを変化させるものであり、検知した煙濃度が上昇するときは、所定音及び／又は所定振動の出力デューティを所定の最大出力デューティとするか、又は、煙濃度の上昇に応じて出力デューティを増加させ、煙濃度が低下するときは、所定音及び／又は所定振動の出力デューティを所定の最小出力デューティとするか、又は、煙濃度の下降に応じて出力デューティを減少させ、煙濃度変化が停滞傾向である場合は、所定音及び／又は所定振動の出力デューティを最大出力デューティと最小出力デューティの間の所定の出力デューティとするか又は所定出力デューティに固定して変化させないようにしたため、例作業者は警戒区域を移動しながら報知される所定音又は所定振動の出力デューティの変化から煙濃度の上昇、停滞、又は下降といった変化状況をリアルタイムで認識しながら、効率良く煙発生位置を絞り込んで特定することができる。
【００４９】
［第３発明の基本的な効果］
本発明は、監視区域に配置され、サンプリング管を介して吸引した空気中に含まれる煙を検知する固定式の煙検知装置に於いて、サンプリング管のサンプリング孔の所定数毎に対応して設けられた開閉弁と、サンプリング管により吸引する空気量を略一定に保つように開閉弁を開閉制御する開閉弁制御部と、サンプリング管を介して吸引した空気中に含まれる煙を検知したときに、開閉弁制御部による開閉弁の制御状態に基づいて煙発生位置を特定する煙検知制御部とが設けられたため、煙が検知されたときに、サンプリング管により吸引する空気量を略一定に保つように開閉制御している複数の開閉弁の制御状態に基づき煙発生位置が特定され、これを報知することで、肉眼では確認できない煙であっても、煙発生位置に存在する対象機器を調べることで、煙を発生している機器を特定して適切に対処することができる。
【００５０】
また、煙の発生位置を特定するために複数の開閉弁を開閉制御していても、サンプリング管により吸引される空気量は略一定に保たれるため、煙検知装置本体に設けている吸引ポンプの吸引量を可変させるといった複雑な制御を行う必要がなく、装置の構成を簡単にすることができる。
【００５１】
（開閉弁の順次開駆動による効果）
また、開閉弁制御部は、開閉弁を所定台数ごとに、所定の順番に従い所定時間開駆動し、残りの開閉弁は閉駆動する制御を繰り返し、煙検知制御部は、煙を検知したときに開駆動している開閉弁に対応した位置を煙発生位置に特定するようにしたため、常時閉鎖している複数の開閉弁を順番に所定時間開駆動して閉じる開閉制御を繰り返すことで、煙発生位置に近い開閉弁を一定時間開駆動したときに煙が検知され、煙が検知された時に開駆動している開閉弁から煙発生位置を特定して報知できる。
【００５２】
また、サンプリング管に設けている複数の開閉弁は、その内の少なくとも１台のみが開駆動して空気を吸引しており、残りの開閉弁は閉駆動しており、サンプリング管により吸引する空気量は、サンプリング孔に相当する少なくとも開閉弁１台当りの吸引量とすれば良く、サンプリング管を介して吸引する空気の吸引量が大幅に低減し、小型の吸引ポンプで済むことから装置構成の小型化と低価格化が実現できる。
【００５３】
（開閉弁の開駆動時間による効果）
また、複数の開閉弁を開駆動する開駆動時間は、開閉弁から吸引された空気がサンプリング管を介して煙検知装置本体に到達するまでの時間に基づいて設定されるようにしたため、開閉弁を開いて閉じるまでの間に、開駆動した開閉弁から吸引された空気は確実に煙検知装置本体に到達して煙の有無が検知できる。
【００５４】
（開閉弁の順次閉駆動による効果）
また、開閉弁制御部は、開閉弁を所定台数ごとに、所定の順番に従い所定時間閉駆動し、残りの開閉弁は開駆動する制御を順次繰り返し、煙検知制御部は、煙を検知した状態から煙を検知しない状態へ変化したときに、閉駆動している開閉弁に対応した位置を煙発生位置に特定するようにしたため、常時開放している複数の開閉弁を順番に所定時間閉駆動して閉じる開閉制御を繰り返すことで、煙発生位置に近い開閉弁を一定時間閉駆動したときに煙の検知が断たれることで、煙を検知しない状態へ変化したときに、閉駆動している開閉弁から煙発生位置を特定して報知できる。
【００５５】
また、サンプリング管に設けている複数の開閉弁は、その内の少なくとも１台が閉駆動して、残りの開閉弁が全て開放して空気を吸引しており、開閉弁を開閉駆動していても、煙検知は迅速且つ確実に行われ、同時に、閉駆動したときの煙の検知が断たれることで煙発生位置を確実に特定して報知することができる。
【００５６】
（開閉弁の閉駆動時間による効果）
また、複数の開閉弁を閉駆動する閉駆動時間は、開閉弁から吸引された空気がサンプリング管を介して煙検知装置本体に到達するまでの時間に基づいて設定されたため、開閉弁を閉じて開くまでの間に、開閉弁から吸引されていた検知されている煙を含む空気が煙検知装置本体に届かなくなり、煙検知が確実に断たれることで煙発生位置を特定することができる。
【００５７】
（開閉弁の開閉台数の個別設定による効果）
また、開閉制御する開閉弁の所定台数は、順次繰り返す制御回に応じて個別に設定されるようにしたため、設備設置状況、警戒区域の環境やサンプリング孔の位置等に応じて吸引条件を最適に保つことができる。
【００５８】
（第４発明の基本的な効果）
本願第４発明は、固定式の煙検知装置で監視区域内の煙発生区画を特定し、その後に可搬式の煙検知装置を用いて当該煙発生区画内の煙発生位置を特定するようにしたため、固定式の煙検知装置によって監視区域内の所定の煙発生区画が特定され、当該区画内又はその近傍から可搬式の煙検知装置を使用して煙発生位置が特定できるので、煙発生位置の特定作業が効率良くされる。
【００５９】
（第４発明の別形態による効果）
本願の第４発明の別の形態にあっては、固定式の煙検知装置で煙発生区画を特定し、当該煙発生区画において可搬式の煙検知装置を用いて煙発生位置を特定する煙発生位置の特定方法に於いて、可搬式の煙検知装置を用いて火災発生位置を特定する場合に、固定式の煙検知装置の煙検知感度よりも高い感度を初期感度とし、このとき煙の検知感度の切替えは機能せず、煙発生区画内を移動しながら煙の発生位置を特定するのに使用される際には、初期感度から作業が開始され、煙の発生位置を特定するための使用中に、所定の煙検知信号を検出したときに、煙の検知感度の切替えが機能する状態となり、続いて、煙の検知感度を下げることにより、煙の発生位置を絞り込んで特定するようにしたため、固定式の煙検知装置で煙発生区画が特定されたときに、可搬式の煙検知装置により特定された煙発生区画を移動しながら煙の発生位置を特定する作業を始める場合、可搬式の煙検知装置における煙の検知感度は、必ず、固定式の煙検知装置における煙の検知感度と同じか、又は、高い煙の検知感度を初期感度として始めることで、切替操作に係る作業開始時の感度設定ミスを防止し、従来のように始めから低感度として作業を始めることで煙の発生位置を見逃してしまうことがなく、監視区域を移動しながら煙の発生位置を特定する作業が迅速且つ効率良く、また確実に行えることを可能とする。
【００６０】
また、可搬式の煙検知装置により煙発生位置を特定する作業を始める際に、固定式の煙検知装置における煙の検知感度より低感度に切替えて作業を開始してしまうことを確実に防止でき、更に、煙の検知感度の初期感度で所定の煙検知信号を検出したときに煙の検知感度の切替えが機能する状態となり、その後、煙の検知感度を下げながら煙の発生位置を絞り込む作業が可能となり、このため、迅速かつ効率良く、また確実に煙の発生位置を特定することができる。
【００６１】
（開閉弁の開閉制御による効果）
また、固定式の煙検知装置は、サンプリング管のサンプリング孔の所定数毎に対応して設けられた開閉弁と、サンプリング管により吸引する空気量を略一定に保つように開閉弁を開閉制御する開閉弁制御部と、サンプリング管を介して吸引した空気中に含まれる煙を検知したときに、開閉弁制御部による開閉弁の制御状態に基づいて煙発生位置を特定する煙検知制御部とが設けられたため、煙が検知されたときに、サンプリング管により吸引する空気量を略一定に保つように開閉制御している複数の開閉弁の制御状態に基づき煙発生位置が特定され、これを報知することで、肉眼では確認できない煙であっても、煙発生位置に存在する対象機器を調べることで、煙を発生している機器を特定して適切に対処することができる。
【００６２】
また、煙の発生位置を特定するために複数の開閉弁を開閉制御していても、サンプリング管により吸引される空気量は略一定に保たれるため、煙検知装置本体に設けている吸引ポンプの吸引量を可変させるといった複雑な制御を行う必要がなく、装置の構成を簡単にすることができる。
【００６３】
（開閉弁の表示灯による煙発生区画の報知による効果）
また、固定式の煙検知装置は、開閉弁の配置位置に設けられた表示により、特定した煙発生区画を報知するようにしたため、開閉弁に設けられた表示灯が点灯又は点滅して特定した煙検知区画を示すことから、広い警戒区域であっても煙発生区画がどこかを簡単且つ容易に知って、可搬式の煙検知装置により煙発生位置を絞り込む作業を開始できる。
【００６４】
（煙感知器による煙発生区画の特定による効果）
また、固定式の煙検知装置は、警戒区域に配置されたサンプリング管の吸引位置毎に、吸引した空気中に含まれる煙を検知する煙検知器が設けられ、煙検知器のＩＤ情報に基づいて煙発生区画を特定するようにしたため、複数の煙検知器を設けることで設備コストは増加するが、サンプリング管により空気を吸引するという簡単な制御による煙検知器の煙感知により確実に煙発生区画を特定することができる。
【図面の簡単な説明】
【００６５】
【図１】可搬式の煙検知装置の実施形態を示した説明図
【図２】可搬式の煙検知装置本体に設けた操作表示部を取り出して示した説明図
【図３】煙の検知感度を切替操作する可搬式の煙検知装置本体の機能構成を示したブロック図
【図４】固定式の煙検知装置の監視区域で本実施形態の可搬式の煙検知装置による煙発生位置を特定する作業を示した説明図
【図５】煙の検知感度の自動切替えと手動切替えを選択可能とした可搬式の煙検知装置本体の機能構成を示したブロック図
【図６】煙の検知感度の自動切替えと手動切替えを選択可能とした図５の操作表示部を示した説明図
【図７】可搬式煙検知装置の実施形態を示した説明図
【図８】煙濃度の変化を音で報知する可搬式装置本体の機能構成を示したブロック図
【図９】煙濃度の下降と増加に対応したブザー音の出力パターンを示したタイムチャート
【図１０】煙濃度の変化を振動で報知する可搬式煙検知装置本体の機能構成を示したブロック図
【図１１】本願第３発明となる固定式の煙検知装置の実施形態を示した説明図
【図１２】煙を検知して煙発生位置を特定する煙検知装置本体の機能構成を示したブロック図
【図１３】常時閉鎖している開閉弁を一時的に順次開駆動する開閉弁制御を示したタイムチャート
【図１４】図１３の開閉弁制御により煙発生位置を特定する煙検知制御を示したフローチャート
【図１５】常時開放している開閉弁を一時的に順次閉駆動する開閉弁制御を示したタイムチャート
【図１６】図１５の開閉弁制御により煙発生位置を特定する煙検知制御を示したフローチャート
【図１７】固定式煙検知装置と可搬式煙検知装置を用いて煙発生位置を特定するための実施形態を示した説明図
【発明を実施するための形態】
【００６６】
［第１発明の実施形態］
（実施形態の基本的概念）
図１は可搬式の煙検知装置の実施形態を示した説明図、図２は可搬式の煙検知装置本体に設けた操作表示部を取り出して示した説明図、図３は煙の検知感度を切替操作する可搬式の煙検知装置本体の機能構成を示したブロック図である。
【００６７】
本願第１発明による可搬式の煙検知装置の実施形態における基本的概念は、監視区域内を移動しながら監視区域内の空気を、サンプリング孔を介して吸引し、吸引した空気中に含まれる煙を検出して煙の発生位置を特定する可搬式の煙検知装置１０であって、煙の検知感度を切替え制御する感度切替制御部４２を備え、感度切替制御部４２は、動作開始時は、監視区域の煙を検知する固定式の煙検知装置１００（図３で後述）における煙の検知感度と同じか又はそれよりも高い煙の検知感度を初期感度とし、このとき煙の検知感度の切替えは機能せず、固定式の煙検知装置１００が煙の発生を検知した後に監視区域内を移動しながら煙の発生位置を特定するのに使用される際には、初期感度から作業が開始され、煙の発生位置を特定するための使用中に、所定の煙検知信号を検出したときに、煙の検知感度の切替えが機能する状態にする、というものである。
【００６８】
このような可搬式の煙検知装置１０によれば、監視区域を移動しながら煙の発生位置を特定する作業を始める場合、可搬式の煙検知装置１０における煙の検知感度は、必ず、固定式の煙検知装置１００における煙の検知感度と同じか、又は、高い煙の検知感度を初期感度として始めるようにしたため、切替操作に係る作業開始時の感度設定ミスを防止し、従来のように始めから低感度とすることで狭い検知範囲にして作業を始めて煙の発生位置を見逃してしまうことがなく、監視区域を移動しながら煙の発生位置を特定する作業が迅速且つ効率良く、また確実に行えることを可能とする。
【００６９】
また、本願第１発明の他の形態にあっては、監視区域の煙を検知する固定式の煙検知装置１００が煙の発生を検知した後に、可搬式の煙検知装置１０を利用して監視区域内を移動しながら監視区域内の空気をサンプリング孔を介して吸引し、吸引した空気中に含まれる煙を検出して煙の発生位置を特定する煙発生位置の特定方法であって、可搬式の煙検知装置１０は、煙の検知感度が切替え可能であり、動作開始時は、固定式の煙検知装置１０における煙の検知感度と同じか又はそれよりも高い煙の検知感度を初期感度とし、このとき煙の検知感度の切替えは機能せず、煙の発生位置を特定するのに使用される際には、初期感度から作業が開始され、監視区域を移動しながら煙の発生位置を特定するための使用中に、所定の煙検知信号を検出したときに、煙の検知感度の切替えが機能する状態になり、煙の検知感度を切替えながら煙の発生位置を特定する、というものである。以下詳細に説明する。
【００７０】
（煙検知装置の構成）
図１乃至図３に基づいて、本発明による可搬式の煙検知装置の実施形態を説明する。
【００７１】
図１に示すように、本実施形態に於ける可搬式の煙検知装置１０は、持ち運び自在な煙検知装置本体１２に対しサンプリング管１４を着脱自在に設けている。
【００７２】
サンプリング管１４は、取手１４ｄを備えたホルダ部１４ｃの先端側に吸引パイプ１４ａが連結され、吸引パイプ１４ａの先端にサンプリング孔（吸引孔）１４ｂを開口している。ホルダ部１４ｃの基端側に可撓管であるホース１４ｅを連結し、ホース１４ｅは煙検知装置本体１２のホース接続口１６に着脱自在に連結している。
【００７３】
煙検知装置本体１２はハンドル１８による手持ち或いはハンガーベルト等により肩に掛けて運びながら煙発生位置を特定する作業を行うことができ、上部には電源スイッチ２０が設けられ、前面には操作表示部２２が設けられている。
【００７４】
操作表示部２２は、図２に示すように、警報表示部２４と感度切替操作部２６を有し、警報表示部２４には、煙濃度の増加に対応して点灯作動する注意灯２４ｃ、警戒灯２４ｂ、及び警報灯２４ａが設けられ、また、吸引チェック灯２４ｄ、障害代表灯２４ｅ、及び電源灯２４ｆが設けられている。操作表示部２２は、その全部又は一部をホルダ部１４ｃに設けても良い。その際は必要に応じて煙検知装置本体１２とホルダー部１４ｃとを接続する電気配線を設ける。
【００７５】
感度切替操作部２６は、感度を切替える機能を有する感度切替手段であり、感度切替釦（スイッチ釦）２６ａ，２６ｂ，２６ｃ，２６ｄを備え、４段階に煙の検知感度を手動で切替可能としている。例えば感度切替釦２６ａは、０．００５〜０．１％／ｍの煙濃度で作動する最も高い１番目の煙の検知感度を選択し、感度切替釦２６ｂは０．１〜０．２％／ｍの煙濃度で作動する２番目の煙の検知感度を選択し、感度切替釦２６ｃは０．２〜０．５％／ｍの煙濃度で作動する３番目の煙の検知感度を選択し、感度切替釦２６ｄは０．５〜５．０％／ｍの煙濃度で作動する最も低い４番目の煙の検知感度を選択する。各感度切替釦は自照式（照光式）スイッチとなっており、選択されている感度が表示で判るようになっている。
【００７６】
煙検知装置本体１２は、図３に示すように、制御部３０、煙検知ユニット３２、吸引ユニット３４、電池電源部３６、電源スイッチ２０、感度切替操作部２６及び警報表示部２４を有する。
【００７７】
吸引ユニット３４は、モータにより駆動される吸引ファンを備え、吸引ファンの回転駆動により、サンプリング孔１４ｂを介して対象空間即ち監視区域から煙粒子を含む空気を吸引して吸引パイプ１４ａおよびホース１４ｅを経由して煙検知ユニット３２に取り込み、排気孔から排気するようにしている。
【００７８】
煙検知ユニット３２は、吸引して取り込んだ空気流に対し、例えばレーザ光源からのレーザ光を結像して検煙点を形成し、この検煙点を煙粒子が通過する場合に発生する散乱光を、フォトダイオードで受光して検知パルスを出力して所定時間間隔でカウントし、このカウント数に基づき煙を検知して煙検知信号を出力する。
【００７９】
なお、レーザ光源以外にＬＥＤ等の光源を使用しても良い。受光センサについてもフォトダイオードに限らず、各種の受光センサを適用するものであって良い。
【００８０】
電池電源部３６は、リチウムイオン電池等の二次電池を備え、コネクタ３８に充電ユニットを接続することにより充電を可能としている。電池電源部３６から他の各部へ電源が供給される。
【００８１】
制御部３０は、ハードウェアとしてＣＰＵ、メモリ、各種の入出力ポート等を備えたコンピュータ回路等で構成され、ＣＰＵによるプログラムの実行により実現される煙検知制御部４０と感度切替制御部４２の機能が設けられている。
【００８２】
煙検知制御部４０は、初期感度或いは感度切替制御部４２により設定された煙の検知感度に応じて検知された煙検知信号が煙検知ユニット３２から出力されたときに、警報表示部２４に設けている注意灯２４ｃ、警戒灯２４ｂ、警報灯２４ａを煙検知信号の煙濃度の増加を示す注意レベル、警戒レベル、警報レベルに応じて順次点灯して煙検知及び煙濃度の変化を報知させる。これら表示灯に代えて、又は加えて、検知パルスのカウント状況に応じて検知された煙濃度を可変表示するインジケータを設けても良い。煙検知制御部４０では、現在設定されている煙の検知感度と煙検知信号（パルスカウント状況等）から、現在検出している煙濃度を概ね知ることができる。これに基づいて、現在検出している煙濃度に対応する上記表示を行うことができる。
【００８３】
ここで、例えば、感度切替釦２６ａにより０．００５〜０．１％／ｍの煙濃度で作動する最も高い１番目の煙の検知感度を選択しているとき、煙検知ユニット３２から０．００５％／ｍの煙濃度に対応する煙検知信号が出力されると注意灯２４ｃが点灯し、また例えば０．０５％／ｍの煙濃度に対応する煙検知信号が出力されると警戒灯２４ｂが点灯し、更に、これよりも高い所定濃度に対応するレベルの煙検知信号が検出されたときには、警報灯２４ａが点灯するようにしている。例えば０．１％／ｍの煙濃度に対応する煙検知信号が出力されると警報灯２４ａが点灯する。本実施形態では、警報灯２４ａが点灯することが作動に相当するものとして説明する。この点は他の本実施形態においても同様である。
【００８４】
感度切替制御部４２は、手動感度切替機能４３を備え、電源スイッチ２０の操作による電源投入後の動作開始時に、図４で後述するように、コンピュータルーム等の監視区域に設置されている固定式の煙検知装置における煙の検知感度と同じか又はそれよりも高い煙の検知感度を初期感度として設定し、このとき煙の検知感度の切替えは機能せず、したがって固定式の煙検知装置が作動したときの監視区域での煙の発生位置を特定するのに使用される際に、煙検知装置本体１２に初期感度として設定された固定式の煙検知装置における煙の検知感度と同じか又はそれよりも高い煙の検知感度から作業が開始され、煙の発生位置を特定するための使用中に、所定の煙検知信号を検出したときに、感度切替操作部２６による煙の検知感度の切替えが機能する状態とする制御を行う。
【００８５】
初期感度は例えば工場出荷時に専用の設定装置により、制御部３０のメモリに登録されている。或いは、固定式の煙検知装置から設定感度を読出し可能とし、これ以上の感度が初期感度として制御部３０のメモリに登録されるようにしても良い。電源を投入したとき、制御部３０は、感度切替制御部４２の手動感度切替機能４３により、メモリに登録された初期感度を読みだして煙検知制御部４０にセットしてから動作を開始する。なお、初期感度はメモリに記憶する以外に、ディップスイッチ等により設定することもできる。
【００８６】
また、例えば、電源投入後に別に設けた検知開始スイッチ等を操作させ、この操作があったときに吸引ファン等を駆動開始し、電気ソフト的なサンプリングを開始する前に、感度切替制御部４２の手動感度切替機能４３は、メモリに予め記憶された初期感度を煙検知制御部４０に自動的にセットし、初期感度に基づく煙検知を開始するようにしても良い。
【００８７】
初期感度は、例えば、監視区域の煙を検知するように設置された固定式の煙検知装置の煙の検知感度が０．１％／ｍの煙濃度で作動する（例えば前述の「警報レベル」となる）検知感度であったとすると、これ以上の感度、即ち例えば感度切替釦２６ａで選択する、０．００５〜０．１％／ｍの煙濃度で作動する感度に相当するものとする。なお、初期感度は、必ずしも感度切替釦２６ａ〜２６ｄで選択できる感度と合わせる必要はなく、例えば感度切替釦２６ａで選択する感度を超える高感度であっても良い。
【００８８】
ここで、可搬式の煙検知装置１０に接続されているサンプリング管１４およびホース（可撓管）１４ｅの合計長さを固定式の煙検知装置に接続されているサンプリング管に比べて短くする、サンプリング孔を少なくする、単位時間当たり吸引流量を同じにするなどして、固定式の煙検知装置に比べてサンプリング孔からみた単位時間あたりの空気の吸引量により煙を有効に検知できる空間的な広がり（煙検知範囲）を大きくしている。このため、可搬式の煙検知装置１０は広い監視区域の中に局在する煙の発生位置を特定する作業を効率的に行うことができる。
【００８９】
また、固定式の煙検知装置における煙の検知感度と同じか又はそれよりも高い煙の検知感度を初期感度に設定した可搬式の煙検知装置１０は、初期感度作業を始める際に、初期感度による作業開始から所定の煙検知信号、例えば初期感度によって作動するレベルに相当する煙検知信号を得るまでは、感度切替えが機能する状態にならず感度を切替えることが出来ないので、固定式の煙検知装置における煙の検知感度より低感度に切替えて作業を開始してしまうことを確実に防止できる。
【００９０】
更に、可搬式の煙検知装置１０は、煙の発生位置を特定するための作業中に、初期感度として設定されている煙の検知感度に対応した所定の煙検知信号を検出したときに、例えばソフトウェアのフラグを立て、このフラグが立った場合に初めて感度切替操作部２６による検知感度の切替えが機能する状態になって切替えが出来るようになる。その後は、煙の検知感度を段階的に下げる（必要に応じて上下する）ことで煙の発生位置を絞り込む作業を行うことができる。
【００９１】
感度切替制御部４２の手動感度切替機能４３は、動作開始時に前述した初期感度を煙検知制御部４０にセットすると共に煙の検知感度の切替えを禁止又は無効とし、煙の発生位置を特定するための使用中に、初期感度において所定の煙検知信号を検出したときに、感度切替えの禁止又は無効を解除する制御を行うようにしても良い。ここで、感度切替えの禁止又は無効とは、切替操作はできるが、感度切替制御部４２の手動感度切替機能４３が切替操作を有効に受け付けない場合や、感度切替えに伴う検知動作は行うが、警報表示部２４に検知結果を表示させない場合等が含まれる。
【００９２】
また、感度切替の禁止／解除を行う場合に、感度切替制御部４２の手動感度切替機能４３で例えばシャッター機構を制御して感度切替釦２６ａ〜２６ｄに設けたカバーを開閉することで感度切替操作禁止／解除を切替える、即ちカバー閉状態にすると操作が出来ず、カバー開状態にすると操作ができるようになる、といった方法も採用し得る。
【００９３】
図４に基づいて、固定式の煙検知装置の監視区域で本実施形態の可搬式の煙検知装置による煙発生位置を特定する作業を説明する。
【００９４】
図４の例においては、サーバが収納されたサーバラック１０６が配置されたコンピュータルーム１０４を監視区域として、固定式の煙検知装置１００が設置されている。固定式の煙検知装置本体１０１からは監視区域にサンプリング管１０２が引き出され、サンプリング管１０２には所定間隔でサンプリング孔が形成されており、サンプリング孔を介して監視区域の空気を吸入して固定式の煙検知装置本体１０１に送り、可搬式の煙検知装置１０における煙検知装置本体１２と同じ構成により肉眼では確認できない極薄い（低濃度の）煙を検知して警報するようにしている。
【００９５】
ここで、固定式の煙検知装置１００における煙の検知感度は、前述したように、サンプリング管１０２に設けられた複数のサンプリング孔の内、固定式の煙検知装置本体１０１から最も遠いサンプリング孔の位置に対応する空間（そこに存在する空気が当該サンプリング孔から有効に吸引される空間領域）に所定濃度、例えば０．１％／ｍの濃度の煙が存在するときにこれを検知して作動するように設定している。
【００９６】
固定式の煙検知装置本体１０１が煙を検知して作動すると、警報信号が監視室１０８に設置された超高感度煙監視盤１１０に送られ、火災警報が出力される。
【００９７】
固定式の煙検知装置本体１０１により所定の煙検知信号が検知されて火災警報が出力された場合、係員は監視区域であるコンピュータルーム１０４に本実施形態の可搬式の煙検知装置１０を持ち込み、コンピュータルーム１０４内を移動しながら、サンプリング管１４の先端に設けたサンプリング孔１４ｂを介して空気を吸引して煙発生位置を特定する作業を開始する。
【００９８】
このとき、可搬式の煙検知装置１０における煙の検知感度は、固定式の煙検知装置１００の煙の検知感度と同じか、又は、それより高い煙の検知感度となる初期感度に設定され、且つこの状態で感度切替えは機能せず、煙の発生位置から離れた場所から作業を開始しても、速やかに煙を検知することができ、従来のように予め低感度とすることで作業を始めて煙の発生位置を見逃してしまうことがない。
【００９９】
また、作業を開始してから可搬式の煙検知装置１０が所定の煙検知信号の検出により作動すると、それまで機能していなかった感度切替操作部２６による感度切替えが機能する状態となり、係員は、例えば、初期感度として設定されていた感度切替釦２６ａに対応した１番目の０．００５〜０．１％／ｍの煙の検知感度から２番目、３番目、４番目の煙の検知感度に段階的に下げることで、煙の発生位置を絞り込む作業を行う。
【０１００】
［検知感度を自動切替えする他の実施形態］
図５及び図６に基づき、煙の検知感度の自動切替えと手動切替えを選択可能とした可搬式の煙検知装置本体の他の実施形態を説明する。
【０１０１】
可搬式の煙検知装置１０における煙検知装置本体１２は、図３と同様に、制御部３０、煙検知ユニット３２、吸引ユニット３４、電池電源部３６、電源スイッチ２０、警報表示部２４、感度切替操作部２６を備え、制御部３０には、図３と同様に、煙検知制御部４０と感度切替制御部４２が設けられるが、感度切替制御部４２には図３の手動感度切替機能４３に加え自動感度切替機能４４が設けられ、図６に示すように、感度切替操作部２６には、選択手段として機能する手動感度切替釦４８と自動感度切替釦５０が設けられている。
【０１０２】
手動感度切替釦４８により煙の検知感度の手動切替えを選択した場合には、図１乃至図３の実施形態に示したと同様に、感度切替釦２６ａ，２６ｂ，２６ｃ，２６ｄの操作に基づく手動感度切替機能４３による煙の検知感度の手動切替えを可能としている。自動感度切替釦５０により煙の検知感度の自動切替えを選択した場合には、煙検知信号に基づき煙の検知感度を自動的に切替える自動感度切替機能４４による感度切替制御が行われる。
【０１０３】
なお、手動感度切替機能４３又は自動感度切替機能４４による煙検知感度の手動切替え又は自動切替えのいずれにおいても、煙濃度の増加に対応して注意灯２４ｃ、警戒灯２４ｂ及び警報灯２４ａが順番に点灯し、煙検知と煙濃度の変化を知ることができる。
【０１０４】
本実施形態においても、図２乃至図３の実施形態と同様に固定式の煙検知装置における煙の検知感度と同じか又はそれよりも高い煙の検知感度が初期感度として登録され、電源投入後、手動感度切替釦４８又は自動感度切替釦５０の操作により選択された手動感度切替機能４３又は自動感度切替機能４４により、固定式の煙検知装置が煙を検知して監視区域での煙の発生位置を特定するのに使用される際には初期感度から開始するようになっており、このとき手動感度切替機能４３又は自動感度切替機能４４の感度切替えは機能しない状態になっている。そして、初期感度で煙の発生位置を特定するための使用中に、所定の煙検知信号を検出したときに、手動感度切替機能４３又は自動感度切替機能４４の感度切替えが機能する状態になる。
【０１０５】
感度切替えが機能する状態になると、手動感度切替釦４８により煙の検知感度の手動切替えが選択されている場合には、図２乃至３の実施形態同様に感度切替釦２６ａ，２６ｂ，２６ｃ，２６ｄのいずれかにより切替えて選択された煙の検知感度による煙の検知を行い、一方、自動感度切替釦５０により煙の検知感度の自動切替えが選択されている場合は、煙検知信号に基づき自動的に検知感度を切替える自動感度切替制御を行う。
【０１０６】
自動感度切替機能４４による自動感度切替制御は、例えば、煙検知信号の信号レベルが所定のレベル範囲に入るように、煙の検知感度を例えばＡＧＣ（Ａｕｔｏｍａｔｉｃ  Ｇａｉｎ  Ｃｏｎｔｒｏｌ）によって自動的に切替え制御する。
【０１０７】
即ち、自動感度切替機能４４は、電気ソフト的な処理により、煙検知ユニット３２から出力される煙検知信号の信号レベルが所定の上限閾値を超えると例えば信号増幅用アンプのゲインを低下させて検知感度を下げ、煙検知信号の信号レベルが所定の下限閾値を下回ると例えばアンプのゲインを増加させて検知感度を上げることで、所定のレベル範囲内に入るように煙の検知感度を自動切替しており、煙検知信号の信号レベルが所定のレベル範囲にあれば煙の検知感度を保ち、上限閾値を超えると煙の検知感度を低感度に切替え、下限レベルを下回ったら煙の検知感度を高感度に切替えるように制御する。
【０１０８】
なお、自動感度切替機能４４による自動感度切替えのＡＧＣ制御は、制御部３０から煙検知ユニット３２に設けられたアンプのゲイン切替用アナログスイッチ、デジタルポテンショメータ、或いは電子ボリューム（これらは感度切替手段に相当する）を制御する構成とする。
【０１０９】
その結果、自動感度切替機能４４により、煙の発生位置に近づくにつれて、自動的に煙の検知感度が下げられ、煙の発生位置を絞り込む作業を行うことができる。
【０１１０】
［煙検知感度の手動切替えと自動切替えを組み合わせた実施形態］
図５及び図６に示した可搬式の煙検知装置の他の実施形態として、感度切替制御部４２は、煙の検知感度の手動切替えと自動切替えの適宜の組み合わせにより、煙発生位置を特定する作業を効率良く進めることができる。
【０１１１】
本実施形態は、図５及び図６に示したように、感度切替制御部４２に手動感度切替機能４３と自動感度切替機能４４が設けられ、図６に示した感度切替操作部２６に、選択手段として機能する手動感度切替釦４８と自動感度切替釦５０が設けられる。
【０１１２】
感度切替制御部４２は、動作開始時および手動感度切替釦４８と自動感度切替釦５０による選択時は、監視区域の煙を検知する固定式の煙検知装置における煙の検知感度と同じか又はそれよりも高い煙の検知感度を初期感度とし、このとき煙の検知感度の切替えは機能せず、煙の発生位置を特定するための使用中に、所定の煙検知信号を検出したときに、
手動感度切替釦４８又は自動感度切替釦５０により選択されている手動感度切替機能４３又は自動感度切替機能４４が機能する状態にする制御を行い、手動感度切替釦４８と自動感度切替釦５０による選択操作で手動感度切替機能４３と自動感度切替機能４４を適宜に組み合わせることで、煙発生位置の探索作業を効率化する。
【０１１３】
例えば、最初は手動感度切替釦４８の操作により手動感度切替機能４３を選択して初期感度（高感度）から作業を始め、反応を見ながら移動しつつ煙発生位置を探索して行く。手動感度切替機能４３は所定の煙検知信号が得られると手動で低感度に切替えることができるので、感度切替釦２６ａ〜２６ｄを、適宜、低感度に切替えながら絞り込みを進める。
【０１１４】
こうして煙発生位置を相当絞り込んだ後は、自動感度切替釦５０の操作で自動感度切替機能４４に選択変更すると、初期感度（高感度）から再スタートされるので、急に反応を失うことはなく、自動感度切替機能４４で適切な感度（低感度）に切替えられる。このとき既に煙発生位置は相当絞り込まれているので、あとは切替操作に煩わされることなく自動感度切替機能４４で煙発生位置の特定を進めることができる。
【０１１５】
また例えば、最初は自動感度切替釦５０の操作で自動感度切替機能４４を選択して初期感度（高感度）から始め、反応を見ながら移動しつつ煙発生位置を探索して行く。自動感度切替機能４４は所定の煙検知信号が得られると自動で低感度に切り替わり、こうして範囲を絞って行く。途中で、急に煙検知信号が得られなくなったり相当大きくなったりといった急激な変動があるときには、手動感度切替釦４８の操作で手動感度切替機能４３に選択変更すると、このとき、初期感度（高感度）から再スタートされるので見失言う可能性は低くなっている。そのうえで、手動で適切な感度に切替えて固定できるので大きな変動の影響を抑止しつつ探索作業を行うことができる。これにより煙発生位置の探索作業を効率良く進めることが可能となる。
【０１１６】
［自動感度切替機能とリセット機能を備えた実施形態］
図５に示した感度切替制御部４２に自動感度切替機能４４が設けられ可搬式の煙検知装置の他の実施形態として、感度切替操作部２６に更にリセット手段として機能するリセットスイッチを設ける。
【０１１７】
本実施形態の感度切替制御部４２は、煙の検知感度を自動で切替える自動感度切替機能４４と、自動感度切替機能４４により自動で切り替えられる感度をリセットするリセットスイッチとを備え、動作開始時およびリセットスイッチによるリセット時は、監視区域の煙を検知する固定式の煙検知装置における煙の検知感度と同じか又はそれよりも高い煙の検知感度を初期感度とし、このとき煙の検知感度の切替えは機能せず、煙の発生位置を特定するための使用中に、所定の煙検知信号を検出したときに、自動感度切替機能４４が機能する状態にする制御を行う。
【０１１８】
このため、例えば、可搬式の煙検知装置の電源を投入した動作開始時は、自動感度切替機能４４により初期感度（高感度）から作業を始め、反応を見ながら移動しつつ煙発生位置を探索していき、所定の煙検知信号が得られると自動で低感度に切り替わり、こうして範囲を絞っていく。その途中で、急に煙検知信号が得られなくなったときには、リセットスイッチの操作により自動感度切替機能４４をリセット操作すると、強制的に初期感度（高感度）に戻すことができ、初期感度（高感度）から再スタートされるので、再び煙検知信号が得られ、煙発生位置の探索作業を効率良く進めることが可能となる。
【０１１９】
［自動切替で起動して手動操作により感度を切替える実施形態］
図５に示した感度切替制御部４２に手動感度切替機能４３と自動感度切替機能４４が設けられた可搬式の煙検知装置の他の実施形態として、自動感度切替機能４４における初期感度の切替えに手動感度切替機能４３による手動感度切替えを組み合わせる。
【０１２０】
本実施形態の感度切替制御部４２は、煙の検知感度を自動で切替える自動感度切替機能４４と、煙の検知感度を手動で切替える手動感度切替機能４３とを備え、動作開始時は、監視区域の煙を検知する固定式の煙検知装置における煙の検知感度と同じか又はそれよりも高い煙の検知感度を初期感度とし、このとき煙の検知感度の切替えは機能せず、所定の煙検知信号を検出したときに、自動感度切替機能４４及び手動感度切替機能４３が機能する状態にし、このとき、手動感度切替え行われたときには、手動感度切替機能４３により切替えられた煙の検知感度を初期感度として煙の検知感度を自動で切替える制御を行う。
【０１２１】
このため本実施形態により煙発生位置を特定する探索作業は、例えば、自動感度切替機能４４により初期感度（高感度）から開始し、このとき、自動感度切替機能４４及び手動感度切替機能４３による低感度への切替えは機能せず、所定の煙検知信号を得られたとき、自動感度切替機能４４及び手動感度切替機能４３が機能する状態になる。
【０１２２】
こうして煙発生位置を探索する作業を進め、作業途中に手動感度切替機能４３に対する感度切替釦２６ａ〜２６ｄによる手動切替操作を受け付けると、自動感度切替機能４４は初期感度から再スタートではなく、手動で強制切り替した感度から自動感度切替えを再スタートする。
【０１２３】
これにより、自動感度切替機能４４における切替段階を手動感度切替機能４３の切替操作でスキップすることが出来るようになり、自動感度切替機能４４と手動感度切替機能４３の手動切替操作を細かく組み合わせることで、効率的に煙発生位置を特定するための探索作業を進めることが可能になる。
【０１２４】
［第１発明の変形例］
図５及び図６の実施形態は、煙の検知感度を手動又は自動で切替えるようにしているが、煙の検知感度の自動切替えのみとしても良い。自動感度切替機能４４による感度切替えは煙に対する感受性を切替えるものであって、上記以外に各種の方法を含む。例えば、アンプのゲインでなく、煙検知信号レベルに対する閾値（作動閾値等）を切替えるようにしても良いし、受光パルスのカウント閾値を切替えるようにしても良い。更には、煙検知ユニットにおける発光源の駆動電流など発光条件を切替えても良い。また、これらを組み合わせても良い。また、これらを適宜組み合わせても良い。
【０１２５】
また、本発明はその目的と利点を損なうことのない適宜の変形を含み、更に上記の実施形態に示した数値による限定は受けない。
【０１２６】
［第２発明の実施形態］
（実施形態の基本的概念）
図７は本願第２発明に係る可搬式煙検知装置の実施形態を示した説明図、図８は煙濃度の変化を音により報知する可搬式煙検知装置本体の機能構成を示したブロック図、図９は煙濃度の下降と増加に対応したブザー音の出力パターンを示したタイムチャート、図１０は煙濃度の変化を振動により報知する可搬式煙検知装置本体の機能構成を示したブロック図である。
【０１２７】
本願の第２発明における可搬式の煙検知装置の基本的概念は、監視区域内を移動しながら監視区域内の空気を、サンプリング孔を介して吸引し、吸引した空気中に含まれる煙を検出して煙の発生位置を特定する可搬式の煙検知装置１０であって、検知した煙濃度の変化に応じて、音又は振動で報知を行う報知手段として機能する図８の音響報知部７０又は図９の振動報知部７２を備えたため、監視区域を移動しながら煙の発生位置を特定する作業を始める場合、作業者は煙濃度表示器６０を見なくとも煙濃度の変化を音及び／又は振動による報知で知ることができ、音及び／又は振動による報知から煙濃度の上昇する方向を探索しながら移動することで、効率良く煙発生位置を絞り込んで特定することができる、というものである。
【０１２８】
例えば音響報知部７０又は振動報知部７２は、煙検知ユニット３２で検知した煙濃度の上昇、停滞、又は下降傾向に応じ、音又は振動による報知の形態を変化させるので、作業者は、煙濃度の下降傾向や上昇傾向に加え、上昇又は低下傾向に煙濃度変化の停滞傾向を知り、例えば上昇傾向から停滞傾向に移行したときは、煙発生位置の直近に移動したことが認識でき、効率良く煙発生位置を絞り込んで特定することができる。以下詳細に説明する。
【０１２９】
［可搬式の煙検知装置の概要］
本実施形態の可搬式の煙検知装置１０は、図７（Ａ）に示すように、持ち運び自在な可搬式煙検知装置本体１２に対しサンプリング管１４を着脱自在に設けており、サンプリング管１４のホルダ部１４ｃには煙濃度をバーグラフにより表示する煙濃度表示器６０が設 けられている。なお、煙濃度表示器６０はバーグラフ表示以外に、煙濃度を数値表示するか、 又は指示計で指針表示、または数値表示しても良い。
【０１３０】
また、煙濃度表示器６０には音響孔６２が設けられ、内部にスピーカやブザー等の音響報知部が設けられている。これに対応してホース１４ｅには、ホルダ部１４ｃに設けた煙濃度表示器６０や音響報知部を可搬式煙検知装置本体１２と接続するための信号線が埋め込まれている。それ以外の構成は図１の実施形態と同じになることから、同一符号を付して説明は省略する。
【０１３１】
（可搬式煙検知装置本体の機能構成）
可搬式煙検知装置本体１２には、図８に示すように、制御部３０、煙検知ユニット３２、吸引ユニット３４、電池電源部３６、電源スイッチ２０、感度切替操作部２６、警報表示部２８が設けられ、これらの構成及び機能は、図３に示した実施形態と同じになる。
【０１３２】
これに加え本実施形態にあっては、伝送部６４が設けられ、ホースにより連結されるサンプリング管１４側には、伝送部６６、煙濃度表示器６０及び音響報知手段として機能する音響報知部７０が設けられている。
【０１３３】
煙検知制御部４０は、煙検知ユニット３２による検知パルスのカウント数に基づき出力された煙濃度検知信号を伝送部６４に指示してサンプリング管１４の伝送部６６に伝送し、煙濃度表示器６０に煙濃度をバーグラフ表示させる制御を行う。なお、煙濃度表示器６０は、切替え操作又は手動又は自動の煙検知感度の切替えに連動して、煙濃度の表示レンジを切替えることができる。
【０１３４】
（煙濃度の音響報知）
可搬式煙検知装置本体１２の煙検知制御部４０は、煙検知ユニット３２から出力された煙濃度検知信号の煙の濃度の変化に応じてサンプリング管１４側に設けた音響報知部７０から音を変化させる制御を行う。煙濃度変化は移動平均処理等に基づいて判定しても良い。
【０１３５】
煙検知制御部４０による煙濃度の変化に応じて音響報知部７０からの音を変化させる制御は、煙検知ユニット３２で検知した煙濃度の所定の変化傾向を音及び又は振動で報知を行うものであり、例えば、検知した煙濃度の上昇、停滞、又は下降傾向に応じ、音による報知の形態を変化させる。
【０１３６】
煙検知制御部４０による煙濃度の変化に応じて音響報知部７０からの音を変化させる制御は、例えば次のＡ１〜Ａ３の制御とする。
（制御Ａ１）  検知した煙濃度が上昇するときは（所定の上昇傾向であるときは）、音の出力周期を所定の短周期とするか、又は、煙濃度の上昇に応じて出力周期を短くさせる。
（制御Ａ２）  検知した煙濃度が下降するときは（所定の下降傾向であるときは）、音の出力周期を所定の長周期とするか、又は、煙濃度の下降傾向に応じて出力周期を長くさせる。
（制御Ａ３）  検知した煙濃度変化が所定の停滞傾向である場合は、音の出力周期を所定の長周期と所定の短周期波の間の所定周期とするか又は所定周期に固定して変化させない。
【０１３７】
このような煙検知ユニット３２で検知した煙濃度の変化に応じた制御Ａ１〜Ａ３による音の出力周期の変化により、警戒区域内で可搬式の煙検知装置１０を移動しながら煙の発生位置を特定する作業を行う作業者は、音の出力周期の変化から直感的に煙の濃度の上昇、停滞、又は下降といった変化状況をリアルタイムで認識しながら、効率良く煙発生位置を絞り込んで特定することができる。
【０１３８】
また、煙検知制御部４０による煙濃度の変化に応じて音響報知部７０からの音を変化させる制御の他の実施形態として、音響報知部５０から所定周期毎に所定のブザー音の出力デューティを変化させるようにした場合、例えば次のＢ１〜Ｂ３の制御とする。
（制御Ｂ１）  検知した煙濃度が上昇するときは、ブサー音の出力デューティを所定の最大出力デューティとするか、又は、煙濃度の上昇に応じてブサー音の出力デューティを増加させる。
（制御Ｂ２）  検知した煙濃度が下降するときは、ブザー音の出力デューティを所定の最小出力デューティとするか、又は、煙濃度の下降に応じてブサー音の出力デューティを減少させる。
（制御Ｂ３）  検知した煙濃度変化が停滞傾向である場合は、ブサー音の出力デューティを所定の最大出力デューティと所定の最小出力デューティの間の所定の出力デューティに固定するか又は所定の出力デューティに固定して変化させない。
【０１３９】
図９は煙濃度の下降と増加に対応したブザー音の出力パターンを示したタイムチャートである。図９（Ａ）は煙濃度が下降する場合であり、繰り返し周期Ｔの内、オン時間Ｔ１をオフ時間（Ｔ−Ｔ１）より短くすることで出力デューティを減少させている。図９（Ｂ）は煙濃度が上昇する場合であり、オン時間Ｔ２とオフ時間（Ｔ−Ｔ２）を同じにして出力デューティを増加させている。
【０１４０】
このような煙検知ユニット３２で検知した煙濃度の変化に応じた制御Ｂ１〜Ｂ３のブサー音の出力デューティの変化により、警戒区域内で可搬式の煙検知装置１０を移動しながら煙の発生位置を特定する作業を行う作業者は、所定音の出力デューティの変化から直感的に煙の濃度の上昇、停滞、又は下降といった変化状況をリアルタイムで認識しながら、効率良く煙発生位置を絞り込んで特定することができる。
【０１４１】
なお、音響報知部７０からの煙濃度の変化に対応した音の変化として、「ピッ」、「ピピッ」、「ピピピッ」・・・・「ピピ・・・・ピッ」というように所定の音の出力ピッチを、煙濃度の上昇に応じて増加させ、煙濃度の下降に応じて減少させるようしても良いし、音の周波数や高低を変化させても良い。
【０１４２】
（煙濃度の振動報知）
図１０に示す実施形態にあっては、可搬式煙検知装置本体１２にホースにより連結されるサンプリング管１４側には、例えば圧電振動体等を備えた振動報知部７２が設けられる。
【０１４３】
可搬式煙検知装置本体１２の煙検知制御部４０は、煙検知ユニット３２から出力された煙濃度検知信号の煙の濃度の変化に応じてサンプリング管１４側に設けた振動報知部７２から振動を変化させる制御を行う。
【０１４４】
煙検知制御部４０による煙濃度の変化に応じて振動報知部７２からの振動を変化させる制御は、煙検知ユニット３２で検知した煙濃度の所定の変化傾向を振動で報知を行うものであり、例えば、検知した煙濃度の上昇、停滞、又は下降傾向に応じ、振動による報知の形態を変化させる。
【０１４５】
煙検知制御部４０による煙濃度の変化に応じて振動報知部７２からの振動を変化させる制御は、例えば次のＣ１〜Ｃ３の制御とする。
（制御Ｃ１）  検知した煙濃度が上昇するときは（所定の上昇傾向であるときは）、振動の出力周期を所定の短周期とするか、又は、煙濃度の上昇に応じて出力周期を短くさせる。
（制御Ｃ２）  検知した煙濃度が下降するときは（所定の下降傾向であるときは）、振動の出力周期を所定の長周期とするか、又は、煙濃度の下降傾向に応じて出力周期を長くさせる。
（制御Ｃ３）  検知した煙濃度変化が所定の停滞傾向である場合は、振動の出力周期を所定の長周期と所定の短周期波の間の所定周期とするか又は所定周期に固定して変化させない。なお、変化させる振動の出力周期は、作業者がサンプリング管１４のホルダ部１４ｃを手にもった状態で感知できる例えば十数Ｈｚ以下の周波数範囲に対応した出力周期とする。
【０１４６】
このような煙検知ユニット３２で検知した煙濃度の変化に応じた制御Ｃ１〜Ｃ３による振動の出力周期の変化により、警戒区域内で可搬式の煙検知装置１０を移動しながら煙の発生位置を特定する作業を行う作業者は、振動の出力周期の変化から直感的に煙の濃度の上昇、停滞、又は下降といった変化状況をリアルタイムで認識しながら、効率良く煙発生位置を絞り込んで特定することができる。
【０１４７】
また、煙検知制御部４０による煙濃度の変化に応じて振動報知部７２からの振動変化させる制御の他の実施形態として、振動報知部７２から所定周期毎に所定の振動の出力デューティを変化させるようにした場合、例えば次のＤ１〜Ｄ３の制御とする。
（制御Ｄ１）  検知した煙濃度が上昇するときは、振動の出力デューティを所定の最大出力デューティとするか、又は、煙濃度の上昇に応じて振動の出力デューティを増加させる。
（制御Ｄ２）  検知した煙濃度が下降するときは、振動の出力デューティを所定の最小出力デューティとするか、又は、煙濃度の下降に応じて振動の出力デューティを減少させる。
（制御Ｄ３）  検知した煙濃度変化が停滞傾向である場合は、振動の出力デューティを所定の最大出力デューティと所定の最小出力デューティの間の所定の出力デューティに固定するか又は所定の出力デューティに固定して変化させない。
【０１４８】
このような煙検知ユニット３２で検知した煙濃度の変化に応じた制御Ｄ１〜Ｄ３の所定振動の出力デューティの変化により、警戒区域内で可搬式の煙検知装置１０を移動しながら煙の発生位置を特定する作業を行う作業者は、所定振動の出力デューティの変化から直感的に煙の濃度の上昇、停滞、又は下降といった変化状況をリアルタイムで認識しながら、効率良く煙発生位置を絞り込んで特定することができる。
【０１４９】
なお、図８に示した音響報知部７０と図１０に示した振動報知部７２の両方をサンプリング管１４のホルダ部１４ｃに設け、検知した煙濃度の変化を音と振動の両方により報知するようにしても良い。
【０１５０】
［本願第３発明の実施形態］
（煙検知装置の実施形態の基本的概念］
図１１は本願第３発明となる固定式の煙検知装置の実施形態を示した説明図、図１２は煙を検知して煙発生位置を特定する煙検知装置本体の機能構成を示したブロック図である。
【０１５１】
本実施形態による煙検知装置１００は、コンピュータルーム１２２等の警戒区域に配置され、サンプリング管１４を介して吸引した空気中に含まれる煙を検知するものであって、サンプリング管１４のサンプリング孔の所定数毎に、例えばサンプリング孔１つ毎に対応して開閉弁１１６−１〜１１６−８が設けられ、開閉弁制御部４６がサンプリング管１４により吸引する時間当たり空気量を略一定に保つように開閉弁１１６−１〜１１６−８を所定台数ごとに、例えば１台ごとに、所定の順番に従い所定時間開駆動し、残りの開閉弁は閉駆動する制御を繰り返し行っており、煙検知制御部４４がサンプリング管１４を介して吸引した空気中に含まれる煙を検知したときに、開閉弁１１６−１〜１１６−８の制御状態に基づいて煙発生位置を特定して報知するというものである。
【０１５２】
これによって煙が検知されたときに、開閉弁１１６−１〜１１６−８の内の開駆動している制御弁の位置に基づき煙発生位置が特定される。具体的には、例えば、開閉弁の制御状態、即ち煙が検知されたときに開制御している開閉弁がどの開閉弁であるかによって、煙を吸引したサンプリング孔の位置が判るので、警戒区域のうち当該サンプリング孔に対応する位置が煙発生位置であることが特定される。
【０１５３】
また、煙の発生位置を特定するために開閉弁１１６−１〜１１６−８を開閉制御していても、サンプリング管１４により吸引される時間当たり空気量は略一定に保たれるため、固定式煙検知装置本体に設けている吸引ポンプの吸引量を可変させるといった複雑な制御を行う必要がなく、装置の構成を簡単にすることができる。
【０１５４】
また、本実施形態による別の煙検知装置１００は、開閉弁制御部１４６がサンプリング管１４により吸引する時間当たり空気量を略一定に保つように開閉弁１１６−１〜１１６−８を所定台数ごとに、例えば１台ごとに、所定の順番に従い所定時間閉駆動し、残りの開閉弁は開駆動する制御を繰り返し行っており、煙検知制御部４４により煙を検知している状態から煙を検知しない状態へ変化したときの開閉弁１１６−１〜１１６−８の制御状態に基づいて煙発生位置を特定して報知するというものである。
【０１５５】
この場合にも、煙を検知した状態から煙を検知しない状態へ変化したときに、複数の開閉弁１６−１〜１６−８の内の閉駆動している制御弁の位置に基づき煙発生位置が特定される。具体的には、例えば、開閉弁の制御状態、即ち煙を検知した状態から煙を検知しない状態に変化したときに閉駆動している開閉弁がどの開閉弁であるかによって、煙を吸引したサンプリング孔の位置が判るので、警戒区域のうち当該サンプリング孔に対応する位置が煙発生位置であることが特定される。
【０１５６】
また、サンプリング管１１４により吸引される空気量は略一定に保たれるため、固定式煙検知装置本体１１２に設けている吸引ポンプの吸引量を可変させるといった複雑な制御を行う必要がない。
【０１５７】
なお、ここでは開閉弁を１台ごとに順次開駆動、或いは閉駆動する例を示しているが、複数台ごととしても良い。また、サンプリング管１１４により吸引される空気量を略一定に保つため、必要に応じて、一定数ごとでなく、開閉弁制御部４６に予め登録した制御テーブル等により、制御回ごとに順次個別の駆動台数設定として良い。
【０１５８】
このようにして、例えば、肉眼では確認できない煙であっても、煙発生位置に存在する対象機器を調べることで、煙を発生している機器を特定して適切に対処することができる。
【０１５９】
以下、本実施形態による煙検知装置１００の詳細を説明する。
【０１６０】
［固定式の煙検知装置の概要］
図１１に示すように、サーバラック１２４が配置されたコンピュータルーム１２２等の監視区域には、本実施形態による固定式の煙検知装置１００が設置される。固定式の煙検知装置１００は、壁面に固定された固定式煙検知装置本体１１２と監視区域に敷設されたサンプリング管１１４で構成される。
【０１６１】
サンプリング管１１４は固定式煙検知装置本体１１２の上部から上向きに引き出され、天井面に近い位置で横方向に屈曲して、サーバラック１２４の上方に天井面に沿って水平に配置され、サンプリング管１１４の水平部分には、所定間隔でサンプリング孔を備えた開閉弁１６−１〜１６−８が例えば下向きに配置されている。
【０１６２】
開閉弁１６−１〜１６−８は例えば電磁弁が使用され、非通電状態で閉鎖し、通電状態で開放する常時閉鎖型の電磁弁を使用する。開閉弁１６−１〜１６−８に対しては固定式煙検知装置本体１１２から点線で示すように個別に信号線（制御線）１２０が接続されており、固定式煙検知装置本体１１２の制御により、開閉弁１６−１〜１６−８を個別に開閉駆動できるようにしている。
【０１６３】
なお、サンプリング管１１４は本実施形態のように直管として配置される以外に、複数系統に分けて分岐配置される場合等、適宜の配置が監視区域における防護対象に対応して行われる。また、サンプリング管１１４に設けた開閉弁１６−１〜１６−８のサンプリング孔に、更に吸込管を接続してサーバラック１２４の筐体に連結し、サーバラック１２４単位に筐体内の空気を吸引するようにしても良い。
【０１６４】
また、本実施形態は、サンプリング管１１４のサンプリング孔の１つに対応して開閉弁１６−１〜１６−８を設けているが、２つ以上の所定数のサンプリング孔毎に対応して開閉弁を設けるようにしても良い。
【０１６５】
固定式煙検知装置本体１１２は、サンプリング管１１４を介して吸引した空気中に含まれる煙を検知する。固定式煙検知装置本体１１２により検知する煙濃度は、例えば０．００５％／ｍ〜５．０％／ｍの範囲とする。
【０１６６】
また、固定式煙検知装置本体１１２は、サンプリング管１１４に設けられた開閉弁１６−１〜１６−８を例えば開閉弁１６−１から順番に１台ずつ各々所定の開駆動時間Ｔ１〜Ｔ８のあいだ開いた後に閉じる開閉動作を繰り返している。このため開閉弁１６−１〜１６−８が１台ずつ各々所定の開駆動時間Ｔ１〜Ｔ８のあいだ順番に開放され、各開駆動時間Ｔ１〜Ｔ８の間に開放した開閉弁１６−１のサンプリング孔から吸引された空気はサンプリング管１１４を介して固定式煙検知装置本体１１２に到達し、煙の有無が検知される。
【０１６７】
開閉弁１６−１〜１６−８には煙発生位置を示すＩＤ情報としてアドレスＡ１〜Ａ８が予め設定されており、固定式煙検知装置本体１１２で煙を検知した場合、そのとき開駆動している開閉弁１６−ｉ（ｉは１〜８の任意の値）のアドレスＡｉに基づき煙発生位置を特定し、監視室１２６等に設置された超高感度煙監視盤１２８に煙検知の旨と煙発生位置を含む信号を送信し、煙検知の旨と煙発生位置を示す煙検知警報（例えば火災警報表示、火災警報音等）を出力（報知）させる。
【０１６８】
［煙検知装置本体の構成］
図１２に示すように、固定式煙検知装置本体１１２は、制御部１３０、煙検知ユニット１３２、吸引ユニット１３４、開閉弁駆動部１３６、操作部１３８、警報表示部１４０及び伝送部１４２を備える。
【０１６９】
吸引ユニット１３４は、モータにより駆動される吸引ファンを備え、吸引ファンの回転駆動によりサンプリング管１１４から空気を吸引して煙検知ユニット１３２を通過させて排気口から排気するようにしている。
【０１７０】
煙検知ユニット１３２は、吸引して取り込んだ空気流に対し、例えばレーザ光源からのレーザ光を結像して検煙点を形成し、吸引した空気が煙粒子を含むとき、この検煙点を煙粒子が通過する場合に発生する散乱光を、フォトダイオードで受光して検知パルスを出力して所定時間間隔でカウントし、このカウント数に基づき煙を検知して煙検知信号を出力する。
【０１７１】
なお、レーザ光源以外にＬＥＤ等の光源を使用しても良い。受光センサについてもフォトダイオードに限らず、各種の受光センサを適用するものであって良い。
【０１７２】
開閉弁駆動部１３６はサンプリング管１１４に設けた図７の開閉弁１６−１〜１６−８に対し信号線１２０を接続しており、信号線１２０に対する開駆動信号の出力により開閉弁１６−１〜１６−８を１台ずつ個別に開駆動する。
【０１７３】
操作部１３８は電源スイッチ、リセットスイッチ、感度切替スイッチ等の煙検知に必要な各種の操作スイッチが設けられている。感度切替スイッチは、固定式煙検知装置本体１１２による煙の検知感度を切替える。
【０１７４】
警報表示部１４０は煙検知による警報表示やサンプリング管１１４のつまり等の障害検知による障害表示を行う。伝送部１４２は煙検知と煙発生位置を示す信号を図７に示した超高感度煙監視盤１２８に伝送する。
【０１７５】
制御部１３０は、ハードウェアとしてＣＰＵ、メモリ、各種の入出力ポート等を備えたコンピュータ回路等で構成され、ＣＰＵによるプログラムの実行により実現される煙検知制御部１４４と開閉弁制御部４６の機能が設けられる。
【０１７６】
煙検知制御部１４４は、煙検知ユニット１３２から出力される煙検知信号が煙の検知感度（検知すべき煙の所定濃度）に対応した所定条件（ここでは所定のカウント数）に達したときに煙を検知し、警報出力手段である警報表示部１４０に設けている警報灯を点灯又は点滅して煙検知を報知させると共に、伝送部１４２に指示して煙検知を示す信号を超高感度煙監視盤１２８に送信して煙検知警報（火災警報）を出力させる制御を行う。これに代えて、又は加えて、警報音を出力させるようにしても良い。
【０１７７】
また、煙検知制御部１４４は、煙を検知したときの開閉弁制御部４６による開閉弁１６−１〜１６−８の開閉制御状態に基づき煙発生位置を特定し、即ち、煙を検知したときに開駆動している開閉弁に対応した位置を煙検知位置に特定し、伝送部１４２に指示して煙発生位置を示す信号を超高感度煙監視盤１２８に送信して煙発生位置（火災発生位置）を表示させる制御を行う。
【０１７８】
開閉弁制御部４６は、常時閉鎖型の開閉弁１６−１〜１６−８を対象に、図１３のタイムチャートに示すように、例えば固定式煙検知装置本体１１２に近い開閉弁１６−１から最も遠い位置の開閉弁１６−８に向けて順番に、開閉弁１６−１〜１６−８毎に予め設定した各開駆動時間Ｔ１〜Ｔ８のあいだ開駆動する制御を周期Ｔ０で繰り返す。
【０１７９】
ここで、開閉弁１６−１〜１６−８の開駆動時間Ｔ１〜Ｔ８は、開閉弁１６−１〜１６−８の各々をサンプリング孔として開いてから、吸引した空気が固定式煙検知装置本体１１２の煙検知ユニット１３２に到達するまでの距離に応じた移動時間に所定の煙検知時間を加えた時間として設定されている。
【０１８０】
開駆動時間Ｔ１〜Ｔ８は、サンプリング孔からの吸引空気の移動距離と、吸引ユニット１３４による時間当たり吸引量とサンプリング管１１４の内径で決まる空気の移動速度から算出可能であり、更に、サンプリング管１１４の配置形態は警戒区域により異なることから、設置後に開閉弁１６−１〜１６−８のサンプリング孔から試験により煙を吸引させ、煙が検知されるまでの時間を実測して、これに基づき設定するようにしても良い。
【０１８１】
また、開閉弁１６−１〜１６−８の内の１台を順次開駆動させる開閉制御により、開放している開閉弁の数で決まるサンプリング孔の数は常に１か所であり、このため開閉弁１６−１〜１６−８の内の１台を順次閉駆動させる開閉制御を行ってもサンプリング管１１４の時間当たり吸引量は常に概ね一定であり、サンプリング孔の数に応じて吸引量を可変させるといった複雑な制御は不要であり、吸引ユニット１３４による安定した監視区域からの空気の吸引が可能となる。
【０１８２】
更に、開閉弁制御部４６による開閉弁１６−１〜１６−８の開閉制御により、サンプリング管１１４に対しては常に開閉弁１台が開放して１つのサンプリング孔のみから空気が吸引されている状態となっており、そのため、吸引ユニット１３４による空気の吸引量は、１つのサンプリング孔に対応した少ない吸引量でよく、その結果、吸引ファンを小型化でき、また、サンプリング管１１４の内径も小さくすることができ、設備構成を簡単にしてコストの低減が可能となる。
【０１８３】
［開閉弁の順次開制御に伴う煙検知制御］
図１４のフローチャートに基づき、図１１の制御部１３０による煙検知制御を説明する。図１４に示すように、固定式煙検知装置本体１１２の制御部１３０は、ステップＳ１でサンプリング管１１４に設けた開閉弁１６−１〜１６−８のアドレスＡｉ及び開駆動時間Ｔｉを、最初に開駆動する例えば開閉弁１６−１のアドレスＡ１と開駆動時間Ｔ１に初期化している。
【０１８４】
続いて、制御部１３０は、ステップＳ２に進み、アドレスＡ１の開閉弁１６−１を開駆動し、このとき他の開閉弁１６−２〜１６−８は閉鎖しており、ステップＳ３で煙検知の有無を監視し、煙を検知している場合には超高感度煙監視盤１２８に煙検知の旨を示す信号を送信して煙検知警報（火災警報）を出力させる。一方、ステップＳ３で煙検知がない場合はステップＳ４で開駆動時間Ｔ１の経過を監視している。
【０１８５】
制御部１３０は、開駆動時間Ｔ１の間にステップＳ３で煙検知を判別するとステップＳ５に進み、このとき開閉弁１６−１を開駆動していることから、煙発生位置をアドレスＡ１の開閉弁１６−１によるサンプリング孔に対応した位置と特定し、煙検知の旨と、特定した煙発生位置を示す信号を超高感度煙監視盤１２８に送信し、煙発生位置を特定した煙検知警報を出力させる。あわせて、自己の警報表示部１４０でも煙検知警報を出力させる。
【０１８６】
一方、制御部１３０は、ステップＳ３，Ｓ５で煙を検知することなく開駆動時間Ｔ１が経過したとき、或いはステップＳ３，Ｓ４で煙が検知されて煙発生位置を特定した煙検知警報が行われた後は、ステップＳ６で最終アドレスＡ８か否か判別し、最終アドレスＡ８でない場合はステップＳ７でアドレスＡ１を次のアドレスＡ２に、開駆動時間Ｔ１をＴ２に更新してステップＳ２に戻り、次の開閉弁１６−２の開駆動による煙検知を同様にして行う。
【０１８７】
また、制御部１３０はステップＳ６で最終アドレスＡ８を判別するとステップＳ１に戻り、再び、アドレスＡ１と開駆動時間Ｔ１に初期化してステップＳ２からの処理を繰り返す。
【０１８８】
なお、上記の実施形態では、開閉弁１６−１〜１６−８の内の１台ごとに、所定の順番に従い所定時間Ｔ１〜Ｔ８開駆動し、残りの開閉弁は閉駆動する制御を繰り返しているが、開閉弁１６−１〜１６−８の内の所定台数ごとに、例えば２台ごとに、所定の順番に従い所定時間開駆動し、残りの開閉弁は閉駆動する制御を繰り返すようにしても良い。この場合、煙検知を判別したときに開駆動している２台の開閉弁によるサンプリング孔に対応した位置を煙発生位置と特定する。
【０１８９】
なお、ステップＳ３、Ｓ５で煙を検知して煙発生位置を特定した場合も、開駆動時間Ｔｉが経過したらステップＳ６を介し、ステップＳ１からの処理を繰り返すようにしても良い。
【０１９０】
また、上記制御例ではステップＳ３で煙を検知したときに煙検知警報を、ステップＳ５で煙発生位置を特定したときに煙発生位置を特定した煙検知警報を出力させるようにしているが、ステップＳ１３で煙を検知したときには煙検知警報を出力させず、ステップＳ５で煙発生位置を特定したときに、煙発生位置を特定した煙検知警報を出力させるようにしても良い。このようにすることで、煙発生状況を繰り返し確認することができ、信頼性が向上する。
【０１９１】
［開閉弁の順次閉駆動により煙発生位置を特定する他の実施形態］
次に、開閉弁の順次閉駆動に基づき煙発生位置を特定する煙検知装置の他の実施形態を説明する。
【０１９２】
本実施形態にあっては、図１１のサンプリング管１１４に設けた開閉弁１６−１〜１６−８は常時開放型の電磁弁とする。このため制御部１３０の開閉弁制御部４６は、開閉弁駆動部１３６に指示して閉駆動信号を出力させることで、常時開放している開閉弁１６−１〜１６−８を、１台ごとに、所定の順番に従い所定時間閉駆動し、残りの開閉弁は開放状態とする制御を行う。
【０１９３】
制御部１３０の開閉弁制御部４６は、図１５のタイムチャートに示すように、例えば固定式煙検知装置本体１１２に近い開閉弁１６−１から最も遠い位置の開閉弁１６−８に向けて１台ずつ順番に、開閉弁１６−１〜１６−８毎に予め設定した閉駆動時間Ｔ１１〜Ｔ１８のあいだ閉駆動する制御を周期Ｔ１０で繰り返す。
【０１９４】
また、煙検知制御部１４４は、開閉弁１６−１〜１６−８の内の何かの開閉弁１６−ｉを開放しているときに、吸引した空気から煙が検知されている状態であって、次に開閉弁１６−ｉを一時的に閉じてここからの空気の吸引を遮断したときに煙を検知しない状態へ変化した場合に、開閉弁１６−ｉに対応して煙発生位置を特定し、伝送部１４２に指示して、煙検知の旨と、煙発生位置を示す信号を超高感度煙監視盤１２８に送信して煙発生位置を特定した煙検知警報を出力させる制御を行う。
【０１９５】
より具体的には、煙を検知した時点で煙発生の旨を超高感度煙監視盤１２８に送信し、続いて煙発生位置を特定してから煙発生位置情報を超高感度煙監視盤１２８に送信する。超高感度煙監視盤１２８はこれらを順次警報表示する。
【０１９６】
ここで、開閉弁１６−１〜１６−８の閉駆動時間Ｔ１１〜Ｔ１８は、開閉弁１６−１〜１６−８の各々をサンプリング孔として閉じてから、閉じる前に吸引した空気が固定式煙検知装置本体１１２の煙検知ユニット１３２に到達するまでの距離に応じた移動時間に所定の煙検知時間を加えた時間として設定されている。なお、閉駆動時間Ｔ１１〜Ｔ１８は一定としているが、異なった時間としてもよく、計算により求めて設定しても良いし、実測に基づいて設定するようにしても良い。
【０１９７】
このように開閉弁１６−１〜１６−８を１台ずつ順次閉駆動させる開閉制御により、開放している開閉弁の数で決まるサンプリング孔の数は常に７か所であり、このため開閉弁１６−１〜１６−８を１台ずつ順次閉駆動させる開閉制御を行ってもサンプリング管１１４の時間当たり吸引量は常に概ね一定であり、サンプリング孔の数に応じて吸引量を可変させるといった複雑な制御は不要であり、吸引ユニット１３４による安定した監視区域からの空気の吸引が可能となる。
【０１９８】
［開閉弁の順次閉制御に伴う煙検知制御］
図１６のフローチャートに基づき、図１４の制御部１３０による開閉弁の順次閉制御に伴う煙検知制御を説明する。
【０１９９】
図１６に示すように、固定式煙検知装置本体１１２の制御部１３０は、ステップＳ１１でサンプリング管１１４に設けた開閉弁１６−１〜１６−８のアドレスＡｉ及び閉駆動時間Ｔ１ｉを、最初に閉駆動する例えば開閉弁１６−１のアドレスＡ１と閉駆動時間Ｔ１１に初期化している。
【０２００】
続いて、制御部１３０は、ステップＳ１２に進み、アドレスＡ１の開閉弁１６−１を閉駆動し、このとき他の開閉弁１６−２〜１６−８は開放しており、ステップＳ１３で煙検知の有無を監視し、煙を検知している場合には超高感度煙監視盤１２８に煙検知の旨を示す信号を送信して煙検知警報を出力させる。一方、ステップＳ１３で煙検知がない場合はステップＳ１６で閉駆動時間Ｔ１１の経過を監視している。
【０２０１】
続いて制御部１３０は、ステップＳ１６で閉駆動時間Ｔ１１の経過を判別したとき、ステップＳ１５で最終アドレスであるか否かを判別し、この場合最終アドレスではないことからステップＳ１６に進んでアドレスＡ１をアドレスＡ２に、閉駆動時間Ｔ１１を閉駆動時間Ｔに更新してステップＳ１２で開閉弁１６−２を閉駆動し、このとき他の開閉弁１６−１、１６−３〜１６−４は開放している。この制御状態でステップＳ１３，Ｓ１６の処理により駆動時間Ｔ１２の経過を監視し、経過前に煙を検知しない状態に変化したことをステップＳ１３で判別した場合には、ステップＳ１４でアドレスＡ２の開閉弁１６−２に対応する位置を煙発生位置として特定して超高感度煙監視盤１２８に煙発生位置情報を送信して煙発生位置を特定した煙検知警報を出力させる。
【０２０２】
また、制御部１３０は、ステップＳ１６で閉駆動時間Ｔ１２が経過しても煙を検知した状態が継続する場合は、煙発生位置の特定を行わず、ステップＳ１５を介してステップＳ１７に進み、アドレスＡ２をアドレスＡ３に、閉駆動時間Ｔ１２を閉駆動時間Ｔ１３に更新する。
【０２０３】
以下、制御部１３０はステップＳ１７でアドレスと閉駆動時間を順次更新しながらステップＳ１２からの処理を繰り返し、ステップＳ１５で最終アドレスＡ８を判別するとステップＳ１１に戻り、再び、アドレスＡ１と開駆動時間Ｔ１１に初期化してステップＳ１２からの処理を繰り返す。
【０２０４】
なお、ステップＳ１３、Ｓ１４で煙を検知して煙発生位置を特定した場合も、閉駆動時間Ｔｉが経過したらステップＳ６を介し、ステップＳ１からの処理を繰り返すようにしても良い。このようにすることで、煙発生状況を繰り返し確認することができ、信頼性が向上する。
【０２０５】
また、上記制御例ではステップＳ１３で煙を検知したときに煙検知警報を、ステップＳ１４で煙発生位置を特定したときに煙発生位置を特定した煙検知警報を出力させるようにしているが、ステップＳ１３で煙を検知したときには煙検知警報を出力させず、ステップＳ５で煙発生位置を特定したときに、煙発生位置を特定した煙検知警報を出力させるようにしても良い。例えば、煙検知警報として、ブザー音とあわせて煙発生区画に対応した表示を行う。また、音声メッセージ等により煙発生とその発生地区をアナウンスするようにする。
【０２０６】
また、上記の実施形態では、開閉弁１６−１〜１６−８の内の１台ごとに、所定の順番に従い所定時間Ｔ１１〜Ｔ１８閉駆動し、残りの開閉弁は開駆動する制御を繰り返しているが、開閉弁１６−１〜１６−８の内の所定台数ごとに、例えば２台ごとに、所定の順番に従い所定時間閉駆動し、残りの開閉弁は開駆動する制御を繰り返すようにしても良い。この場合、煙を検知しない状態へ変化したことを判別したときに、閉駆動している２台の開閉弁によるサンプリング孔に対応した位置を煙発生位置と特定する。
【０２０７】
［開駆動制御と閉駆動制御の選択］
図１３のタイムチャートに示した開閉弁の開駆動により煙発生位置を特定する開駆動制御と、図１５のタイムチャートに示した開閉弁の閉駆動により煙発生位置を特定する閉駆動制御は、開閉弁の制御に係る電力等を考慮してどちらかを選択することができる。また、装置側で開駆動制御と閉駆動制御の選択を可能としても良い。
【０２０８】
［第３発明の変形例］
上記の実施形態は、常時閉鎖型又は常時開放型の開閉弁として電磁弁を使用しているが、モータ駆動により開閉される電動弁としても良い。開閉弁として電動弁を使用した場合には、サンプリング孔の開閉が時間的に緩やかに行われることで、サンプリング管による一定の吸引量の変動が抑制され、開閉弁を開閉しても安定した吸引が可能となる。
【０２０９】
また、上記の実施形態は、煙検知装置本体に近い側から順番に開閉弁を開駆動又は閉駆動しているが、複数の開閉弁の内の所定台数が順番に開駆動又は閉駆動されていれば良いことから、開閉弁を開駆動又は閉駆動する順番は必要に応じて適宜に定めることができる。
【０２１０】
また、上記で説明した開駆動で判定する形態と閉駆動で判定する形態は、装置側でその選択を可能としても良い。
【０２１１】
また、本発明はその目的と利点を損なうことのない適宜の変形を含み、更に上記の実施形態に示した数値による限定は受けない。
【０２１２】
［第４発明に係る実施形態の基本的概念］
図１７は固定式煙検知装置と可搬式煙検知装置を用いて煙発生位置を特定する煙発生位置の特定方法の実施形態を示した説明図である。
【０２１３】
本発明における煙発生位置の特定方法を実現する実施形態の基本概念は、コンピュータルーム１２２等の警戒区域に配置されたサンプリング管１４からの空気の吸引により固定式煙検知装置１０で煙発生区画を特定し、固定式の煙検知装置１０で特定した煙発生区画においてサンプリング管１４を備えた可搬式の煙検知装置１００を移動しながら煙発生位置を特定するものであり、可搬式煙検知装置１００を用いて火災発生位置を特定する場合に、固定式の煙検知装置１０の煙検知感度よりも高い感度を初期感度とし、このとき煙の検知感度の切替えは機能せず、煙発生区画内を移動しながら煙の発生位置を特定するのに使用される際には、初期感度から作業が開始され、煙の発生位置を特定するための使用中に、所定の煙検知信号を検出したときに、煙の検知感度の切替えが機能する状態となり、続いて、煙の検知感度を下げることにより、煙の発生位置を絞り込んで特定するものであり、固定式の煙検知装置１０で煙発生区画が特定されたときに、特定された煙発生区画を可搬式の煙検知装置１００を移動しながら煙の発生位置を特定する作業を始める場合、可搬式の煙検知装置１００における煙の検知感度は、必ず、固定式の煙検知装置１０における煙の検知感度と同じか、又は、高い煙の検知感度を初期感度として始めるようにしたため、固定式の煙検知装置で煙発生区画が特定されたときに、可搬式の煙検知装置により特定された煙発生区画内又はその近傍を移動しながら煙の発生位置を特定する作業を始める場合、可搬式の煙検知装置における煙の検知感度は、必ず、固定式の煙検知装置における煙の検知感度と同じか、又は、高い煙の検知感度を初期感度として始めることで、切替操作に係る作業開始時の感度設定ミスを防止し、従来のように始めから低感度として作業を始めることで煙の発生位置を見逃してしまうことがなく、監視区域を移動しながら煙の発生位置を特定する作業が迅速且つ効率良く、また確実に行えることを可能とする。
【０２１４】
また、可搬式の煙検知装置により煙発生位置を特定する作業を始める際に、固定式の煙検知装置における煙の検知感度より低感度に切替えて作業を開始してしまうことを確実に防止でき、更に、煙の検知感度の初期感度で所定の煙検知信号を検出したときに煙の検知感度の切替えが機能する状態となり、その後、煙の検知感度を下げながら煙の発生位置を絞り込む作業が可能となり、このため、迅速かつ効率良く、また確実に煙の発生位置を特定することができる。以下詳細に説明する。
【０２１５】
（固定式の煙検知装置）
図１７に示す固定式の煙検知装置１０は、図１１に示したと同じであり、開閉弁１１６−１〜１１６−８に煙発生区画を表示するための表示灯１５が設けられている点で相違する。開閉弁１１６−１〜１１６−８に対しては固定式煙検知装置本体１１２から点線で示すように個別に信号線（制御線）１２０が接続されており、固定式煙検知装置本体１１２の制御により、開閉弁１１６−１〜１１６−８を個別に開閉駆動でき、また、特定された煙発生区画を示すために表示灯１５０を点灯又は点滅するようにしている。また、可搬式の煙検知装置１０は、図７及び図８の実施形態と同じものである。
【０２１６】
（煙発生位置を特定する作業）
図１７に基づいて、本実施形態の煙発生位置の特定方法による作業を説明すると次のようになる。
【０２１７】
図１７の例においては、サーバが収納されたサーバラック１２４が配置されたコンピュータルーム１２２を監視区域として、固定式の煙検知装置１００が設置されている。固定式煙検知装置本体１１２からは監視区域にサンプリング管１１４が引き出され、サンプリング管１１４のサンプリング孔１つ毎に対応して開閉弁１１６−１〜１１６−８が設けられ、サンプリング管１１４により吸引する時間当たり空気量を略一定に保つように開閉弁１１６−１〜１１６−８を所定台数ごとに、例えば１台ごとに、所定の順番に従い所定時間開駆動し、残りの開閉弁は閉駆動する制御を繰り返し行っており、サンプリング管１１４を介して吸引した空気中に含まれる煙を検知したときに、開閉弁１１６−１〜１１６−８の制御状態に基づいて煙発生位置を特定して報知するようにしている。
【０２１８】
固定式煙検知装置本体１１２が煙を検知して作動すると、煙発生区画情報を含む警報信号が監視室１２６に設置された超高感度煙監視盤１２８に送られ、煙発生区画を示した火災警報が出力され、また、サンプリング管１１４に設けている開閉弁１１６−１〜１１６−８の配置位置に設けられた表示灯１５０の内、特定した煙発生区画の表示灯１５０が例えば点滅し、煙発生区画を表示する。
【０２１９】
このように固定式煙検知装置本体１１２により煙が検知されて火災警報が出力された場合、係員は監視区域であるコンピュータルーム１２２に例えば図７に示した可搬式の煙検知装置１０を持ち込み、表示灯１５０が点滅している開閉弁１１６−ｉの場所が煙発生区画であることを知り、煙発生区画を中心に可搬式の煙検知装置１０を移動しながら、サンプリング管１４の先端のサンプリング孔から空気を吸引して煙発生位置を特定する作業を開始する。
【０２２０】
このとき、可搬式の煙検知装置１０における煙の検知感度は、固定式の煙検知装置１００の煙の検知感度と同じか、又は、それより高い煙の検知感度となる初期感度に設定され、且つこの状態で感度切替えは機能せず、煙の発生位置から離れた場所から作業を開始しても、速やかに煙を検知することができ、従来のように予め低感度とすることで作業を始めて煙の発生位置を見逃してしまうことがない。
【０２２１】
また、作業を開始してから可搬式の煙検知装置１０が所定の煙検知信号の検出により作動すると、それまで機能していなかった感度切替えが機能する状態となり、係員は、例えば、初期感度として設定されていた図２に示す感度切替釦２６ａに対応した１番目の０．００５〜０．１％／ｍの煙の検知感度から２番目、３番目、４番目の煙の検知感度に段階的に下げることで、煙の発生位置を絞り込む作業を行う。
【０２２２】
このように係員が可搬式の煙検知装置１０を移動しながら煙発生位置を絞り込む作業中、可搬式の煙検知装置１０のサンプリング管１４側に設けた煙濃度表示器４６にそのとき検知している煙濃度が煙濃度表示器６０にバーグラフ表示され、あわせて、図８に示した音響報知部７０から煙濃度の変化に応じた音が出力され、移動中に例えば音の出力周期が長くなったら煙発生位置に近づいていることが分かり、音の出力周期が短くなったら煙発生位置から遠のいていることが分かり、このような音の変化を頼りに係員は効率良く煙発生位置に移動して絞込み、火災発生位置を発見して確認することができる。
【０２２３】
（サンプリング管の吸引位置に煙検知器を設けた固定式の煙検知装置）
本願第４発明による煙発生位置の特定方法に使用する固定式の煙検知装置１００としては、図１７のサンプリング管１１４に設けた開閉弁１１６−１〜１１６−８に代えて、光電式の煙検知器を設けるようにしても良い。
【０２２４】
サンプリング管１１４の吸引位置に設けられた煙検知器は、吸引した空気中に含まれる煙を検知すると煙感知信号を固定式煙検知装置本体１１２に出力し、これにより固定式煙検知装置本体１２は煙発生区画を特定した火災警報信号を超高感度煙監視盤１２８に出力し、煙検知器のＩＤ情報に基づいて火災発生区画（煙発生区画）を特定した火災警報を出力させる。
【０２２５】
また、サンプリング管１１４に設けられた煙検知器は発報表示灯を備えており、煙を感知すると発報表示灯を点灯又は点滅し、これにより煙発生区画を表示することができる。
【０２２６】
このようにサンプリング管１１４の吸引位置に煙検知器を設けた固定式の煙検知装置１００は、複数の煙検知器を設けることで設備コストは増加するが、サンプリング管１１４により空気を吸引するという簡単な制御による煙検知器の煙感知により確実に煙発生区画を特定することができる。
【０２２７】
なお、サンプリング管１１４の吸引位置に煙検知器を設けた固定式の煙検知装置１０で煙発生区画を特定したときの可搬式の煙検知装置１０を用いた煙発生位置を特定する作業での操作は、サンプリング管１１４に開閉弁１１６−１〜１１６−８を設けた固定式の煙検知装置１００の場合と同じになる。
【０２２８】
また、図１６の煙発生位置の特定に使用する可搬式の煙検知装置１０は、図７の実施形態に限定されず、それ以外の実施形態による可搬式の煙検知装置１０を使用することを妨げない。
【符号の説明】
【０２２９】
（２０１８−０５０）
１０：可搬式の煙検知装置
１２：煙検知装置本体
１４：サンプリング管
１４ｂ：サンプリング孔
１６：ホース接続口
１８：ハンドル
２０：電源スイッチ
２２：操作表示部
２４：警報表示部
２６：感度切替操作部
２６ａ〜２６ｄ：感度切替釦
３０：制御部
３２：煙検知ユニット
３４：吸引ユニット
３６：電池電源部
４０：煙検知制御部
４２：感度切替制御部
４３：手動感度切替機能
４４：自動感度切替機能
４８：手動感度切替釦
５０：自動感度切替釦
（２０１８−０７４−１）
６０：煙濃度表示器
６２：音響孔
６４，６６：伝送部
７０：音響報知部
７２：振動報知部
（２０１８−０５２）
１００：固定式の煙検知装置
１１２：固定式煙検知装置本体
１１４：サンプリング管
１１６−１〜１１６−８：開閉弁
１２０：信号線
１２２：コンピュータルーム
１２４：サーバラック
１２６：監視室
１２８：超高感度煙監視盤
１３０：制御部
１３２：煙検知ユニット
１３４：吸引ユニット
１３６：開閉弁駆動部
１３８：操作部
１４０：警報表示部
１４２：伝送部
１４４：煙検知制御部
１４６：開閉弁制御部
（２０１８−０７４−２）
１５０：表示灯
【図１】
2020068003.tif 000003
【図２】
2020068003.tif 000004
【図３】
2020068003.tif 000005
【図４】
2020068003.tif 000006
【図５】
2020068003.tif 000007
【図６】
2020068003.tif 000008
【図７】
2020068003.tif 000009
【図８】
2020068003.tif 000010
【図９】
2020068003.tif 000011
【図１０】
2020068003.tif 000012
【図１１】
2020068003.tif 000013
【図１２】
2020068003.tif 000014
【図１３】
2020068003.tif 000015
【図１４】
2020068003.tif 000016
【図１５】
2020068003.tif 000017
【図１６】
2020068003.tif 000018
【図１７】
2020068003.tif 000019